(57)【要約】  本願の実施例は、ページング方法、端末装置およびネットワーク装置を開示し、該方法は、端末装置が該端末装置のページングメッセージを搬送するための少なくとも１つのページング帯域幅を決定し、該少なくとも１つのページング帯域幅の各々が端末装置の最小帯域幅能力以下であるステップと、該端末装置が該少なくとも１つのページング帯域幅で該ページングメッセージを受信するステップと、を含む。本願の実施例の方法、端末装置およびネットワーク装置は、ページング帯域幅がページングされた端末装置の能力を超えて端末装置が受信できなくなるという問題を回避できる。
2021503190.tif 000002
【特許請求の範囲】
【請求項１】
ページング方法であって、
端末装置が前記端末装置のページングメッセージを搬送するための少なくとも１つのページング帯域幅を決定することであって、前記少なくとも１つのページング帯域幅の各々が端末装置の最小帯域幅能力以下である、決定するステップと、
前記端末装置が前記少なくとも１つのページング帯域幅で前記ページングメッセージを受信するステップと、を含む、
ことを特徴とするページング方法。
【請求項２】
前記端末装置がページングメッセージを搬送するための複数のページング帯域幅を決定し、前記複数のページング帯域幅の各々がいずれも前記最小帯域幅能力以下であるステップをさらに含み、
前記端末装置が前記端末装置のページングメッセージを搬送するための少なくとも１つのページング帯域幅を決定することは、
前記端末装置が前記複数のページング帯域幅の中から前記少なくとも１つのページング帯域幅を決定することを含む、
ことを特徴とする請求項１に記載の方法。
【請求項３】
前記端末装置が前記ネットワーク装置から送信された前記複数のページング帯域幅の配置情報を受信するステップをさらに含み、
前記端末装置が前記複数のページング帯域幅の中から前記少なくとも１つのページング帯域幅を決定することは、
前記端末装置が前記端末装置の識別子および前記複数のページング帯域幅の配置情報に基づいて、前記少なくとも１つのページング帯域幅の各々の周波数領域位置を決定することを含む、
ことを特徴とする請求項２に記載の方法。
【請求項４】
前記複数のページング帯域幅の配置情報が、前記複数のページング帯域幅の各々の周波数領域位置情報および／または前記複数のページング帯域幅の各々の周波数領域オフセット情報を含む、
ことを特徴とする請求項３に記載の方法。
【請求項５】
前記複数のページング帯域幅の配置情報が、残りの最小システム情報ＲＭＳＩに搬送される、
ことを特徴とする請求項３または４に記載の方法。
【請求項６】
前記複数のページング帯域幅のうちの少なくとも２つのページング帯域幅の周波数領域位置が、完全に重ならない、
ことを特徴とする請求項２〜５のいずれか一項に記載の方法。
【請求項７】
前記複数のページング帯域幅が、ページングフレームおよび／またはページング機会を決定するためのページングパラメータの複数組に１対１に対応する複数のページング帯域幅集合に属する、
ことを特徴とする請求項２〜６のいずれか一項に記載の方法。
【請求項８】
同一のページング帯域幅集合のページング帯域幅が、同一の帯域幅部分ＢＷＰに属する、
ことを特徴とする請求項７に記載の方法。
【請求項９】
前記ページングパラメータが、残りの最小システム情報ＲＭＳＩまたは他のシステム情報ＯＳＩに搬送される、
ことを特徴とする請求項７または８に記載の方法。
【請求項１０】
ネットワーク装置がページング対象の端末装置を決定するステップと、
前記ネットワーク装置が少なくとも１つのページング帯域幅でページングメッセージを前記端末装置に送信し、前記少なくとも１つのページング帯域幅の各々が端末装置の最小帯域幅能力以下であるステップと、を含む、
ことを特徴とするページング方法。
【請求項１１】
前記ネットワーク装置が、ページングメッセージを搬送するための複数のページング帯域幅の配置情報を前記端末装置に送信し、前記複数のページング帯域幅の配置情報が、前記端末装置が前記少なくとも１つのページング帯域幅の周波数領域位置を決定するために用いられ、前記複数のページング帯域幅の各々がいずれも前記最小帯域幅能力以下であるステップをさらに含む、
ことを特徴とする請求項１０に記載の方法。
【請求項１２】
前記複数のページング帯域幅の配置情報が、前記複数のページング帯域幅の各々の周波数領域位置情報および／または前記複数のページング帯域幅の各々の周波数領域オフセット情報を含む、
ことを特徴とする請求項１１に記載の方法。
【請求項１３】
前記複数のページング帯域幅の配置情報が、残りの最小システム情報ＲＭＳＩに搬送される、
ことを特徴とする請求項１１または１２に記載の方法。
【請求項１４】
前記複数のページング帯域幅のうちの少なくとも２つのページング帯域幅の周波数領域位置が、完全に重ならない、
ことを特徴とする請求項１１〜１３のいずれか一項に記載の方法。
【請求項１５】
前記複数のページング帯域幅が、ページングフレームおよび／またはページング機会を決定するためのページングパラメータの複数組に１対１に対応する複数のページング帯域幅集合に属する、
ことを特徴とする請求項１１〜１４のいずれか一項に記載の方法。
【請求項１６】
同一のページング帯域幅集合のページング帯域幅が、同一の帯域幅部分ＢＷＰに属する、
ことを特徴とする請求項１５に記載の方法。
【請求項１７】
前記ページングパラメータが、残りの最小システム情報ＲＭＳＩまたは他のシステム情報ＯＳＩに搬送される、
ことを特徴とする請求項１５または１６に記載の方法。
【請求項１８】
端末装置であって、
前記端末装置のページングメッセージを搬送するための少なくとも１つのページング帯域幅を決定するための第１の決定ユニットであって、前記少なくとも１つのページング帯域幅の各々が端末装置の最小帯域幅能力以下である第１の決定ユニットと、
前記少なくとも１つのページング帯域幅で前記ページングメッセージを受信するための第１の受信ユニットと、を含む、
ことを特徴とする端末装置。
【請求項１９】
ページングメッセージを搬送するための複数のページング帯域幅を決定するための第２の決定ユニットであって、前記複数のページング帯域幅の各々が前記最小帯域幅能力以下である第２の決定ユニットをさらに含み、
前記第１の決定ユニットは、具体的には、
前記複数のページング帯域幅の中から前記少なくとも１つのページング帯域幅を決定するために用いられる、
ことを特徴とする請求項１８に記載の端末装置。
【請求項２０】
前記ネットワーク装置から送信された前記複数のページング帯域幅の配置情報を受信するための第２の受信ユニットをさらに含み、
前記第１の決定ユニットは、具体的には、
前記端末装置の識別子および前記複数のページング帯域幅の配置情報に基づいて、前記少なくとも１つのページング帯域幅の各々の周波数領域位置を決定するために用いられる、
ことを特徴とする請求項１９に記載の端末装置。
【請求項２１】
前記複数のページング帯域幅の配置情報が、前記複数のページング帯域幅の各々の周波数領域位置情報および／または前記複数のページング帯域幅の各々の周波数領域オフセット情報を含む、
ことを特徴とする請求項２０に記載の端末装置。
【請求項２２】
前記複数のページング帯域幅の配置情報が、残りの最小システム情報ＲＭＳＩに搬送される、
ことを特徴とする請求項２０または２１に記載の端末装置。
【請求項２３】
前記複数のページング帯域幅のうちの少なくとも２つのページング帯域幅の周波数領域位置が、完全に重ならない、
ことを特徴とする請求項１９〜２２のいずれか一項に記載の端末装置。
【請求項２４】
前記複数のページング帯域幅が、ページングフレームおよび／またはページング機会を決定するためのページングパラメータの複数組に１対１に対応する複数のページング帯域幅集合に属する、
ことを特徴とする請求項１９〜２３のいずれか一項に記載の端末装置。
【請求項２５】
同一のページング帯域幅集合のページング帯域幅が、同一の帯域幅部分ＢＷＰに属する、
ことを特徴とする請求項２４に記載の端末装置。
【請求項２６】
前記ページングパラメータが、残りの最小システム情報ＲＭＳＩまたは他のシステム情報ＯＳＩに搬送される、
ことを特徴とする請求項２４または２５に記載の端末装置。
【請求項２７】
ネットワーク装置であって、
ページング対象の端末装置を決定するための決定ユニットと、
少なくとも１つのページング帯域幅でページングメッセージを前記端末装置に送信するための第１の送信ユニットであって、前記少なくとも１つのページング帯域幅の各々が端末装置の最小帯域幅能力以下である第１の送信ユニットと、を含む、
ことを特徴とするネットワーク装置。
【請求項２８】
ページングメッセージを搬送するための複数のページング帯域幅の配置情報を前記端末装置に送信するために用いられ、前記複数のページング帯域幅の配置情報が、前記端末装置が前記少なくとも１つのページング帯域幅の周波数領域位置を決定するために用いられ、前記複数のページング帯域幅の各々が前記最小帯域幅能力以下である第２の送信ユニットをさらに含む、
ことを特徴とする請求項２７に記載のネットワーク装置。
【請求項２９】
前記複数のページング帯域幅の配置情報が、前記複数のページング帯域幅の各々の周波数領域位置情報および／または前記複数のページング帯域幅の各々の周波数領域オフセット情報を含む、
ことを特徴とする請求項２８に記載のネットワーク装置。
【請求項３０】
前記複数のページング帯域幅の配置情報が、残りの最小システム情報ＲＭＳＩに搬送される、
ことを特徴とする請求項２８または２９に記載のネットワーク装置。
【請求項３１】
前記複数のページング帯域幅のうちの少なくとも２つのページング帯域幅の周波数領域位置が、完全に重ならない、
ことを特徴とする請求項２８〜３０のいずれか一項に記載のネットワーク装置。
【請求項３２】
前記複数のページング帯域幅が、ページングフレームおよび／またはページング機会を決定するためのページングパラメータの複数組に１対１に対応する複数のページング帯域幅集合に属する、
ことを特徴とする請求項２８〜３１のいずれか一項に記載のネットワーク装置。
【請求項３３】
同一のページング帯域幅集合のページング帯域幅が、同一の帯域幅部分ＢＷＰに属する、
ことを特徴とする請求項３２に記載のネットワーク装置。
【請求項３４】
前記ページングパラメータが、残りの最小システム情報ＲＭＳＩまたは他のシステム情報ＯＳＩに搬送される、
ことを特徴とする請求項３２または３３に記載のネットワーク装置。
【発明の詳細な説明】
【技術分野】
【０００１】
本願の実施例は、通信分野に関し、より詳しくは、ページング方法、端末装置およびネットワーク装置に関する。
【背景技術】
【０００２】
システム帯域幅には、ページングメッセージを搬送するためのページング帯域幅が存在し、従来技術では、端末装置の能力がページング帯域幅と一致しないため、端末装置がページングメッセージを受信できないという問題があり得る。
【発明の概要】
【発明が解決しようとする課題】
【０００３】
このような事情に鑑みて、本願の実施例は、ページング帯域幅が端末装置の能力を超えて端末装置が受信できなくなるという問題を回避できる、ページング方法、端末装置およびネットワーク装置を提供する。
【課題を解決するための手段】
【０００４】
第１の態様によれば、端末装置が該端末装置のページングメッセージを搬送するための少なくとも１つのページング帯域幅を決定し、該少なくとも１つのページング帯域幅の各々が端末装置の最小帯域幅能力以下であるステップと、該端末装置が該少なくとも１つのページング帯域幅で該ページングメッセージを受信するステップと、を含むページング方法を提供する。
【０００５】
ページング帯域幅を配置する際に、端末装置の最小帯域幅能力を考慮することにより、帯域幅能力不足によるページングメッセージの受信ができなくなるという端末装置の問題を回避することができる。
【０００６】
選択的に、ネットワーク装置は、ある時刻に、自身がカバーするセル内の全ての端末装置の帯域幅能力を事前に決定し、ネットワーク装置がカバーするセル内の全ての端末装置がページングメッセージを受信することを可能にするために、各ページング帯域幅がその最小帯域幅能力よりも大きくないように、システム帯域幅内のページング帯域幅を、その最小帯域幅能力に従って配置してもよい。
【０００７】
１つの可能な実現形態において、該方法は、該端末装置がページングメッセージを搬送するための複数のページング帯域幅を決定し、該複数のページング帯域幅の各々が該最小帯域幅能力以下であるステップをさらに含み、該端末装置が該端末装置のページングメッセージを搬送するための少なくとも１つのページング帯域幅を決定することは、該端末装置が該複数のページング帯域幅の中から該少なくとも１つのページング帯域幅を決定することを含む。
【０００８】
１つの可能な実現形態において、該方法は、該端末装置が該ネットワーク装置から送信された該複数のページング帯域幅の配置情報を受信するステップをさらに含み、該端末装置が該複数のページング帯域幅の中から該少なくとも１つのページング帯域幅を決定することは、該端末装置が該端末装置の識別子および該複数のページング帯域幅の配置情報に基づいて、該少なくとも１つのページング帯域幅の各々の周波数領域位置を決定することを含む。
【０００９】
選択的に、システム帯域幅内の複数のページング帯域幅は、ネットワーク装置により事前に配置されてもよく、または、例えば、端末装置内に予め設定され得るプロトコルによって合意されてもよい。
【００１０】
選択的に、システム帯域幅内に定義された複数のページング帯域幅を複数の異なるＢＷＰに分散させることにより、ページングの負荷を異なるＢＷＰで平均化することができ、複数のページング帯域幅の中で一部のページング帯域幅も同一のＢＷＰにあり得る。
【００１１】
１つの可能な実現形態において、該複数のページング帯域幅の配置情報が、該複数のページング帯域幅の各々の周波数領域位置情報および／または該複数のページング帯域幅の各々の周波数領域オフセット情報を含む。
【００１２】
１つの可能な実現形態において、該複数のページング帯域幅の配置情報が、残りの最小システム情報ＲＭＳＩに搬送される。
【００１３】
選択的に、該配置情報は他のシステム情報ＯＳＩに搬送されることも可能である。
【００１４】
１つの可能な実現形態において、該複数のページング帯域幅のうちの少なくとも２つのページング帯域幅の周波数領域位置が、完全に重ならない。
【００１５】
１つの可能な実現形態において、該複数のページング帯域幅が、ページングフレームおよび／またはページング機会を決定するためのページングパラメータの複数組に１対１に対応する複数のページング帯域幅集合に属する。
【００１６】
選択的に、異なるページング帯域幅集合に対応するページングパラメータは、独立して構成され得るが、同一のページング帯域幅集合におけるページング帯域幅のページングパラメータは、共通に構成される。
【００１７】
選択的に、各ページング帯域幅集合におけるページング帯域幅の数は、同じであっても異なっていてもよい。
【００１８】
１つの可能な実現形態において、同一のページング帯域幅集合のページング帯域幅が、同一の帯域幅部分ＢＷＰに属する。
【００１９】
ページングパラメータは、異なるページング帯域幅または異なる帯域幅集合に対して独立して構成されることにより、ネットワーク装置がページングメッセージを送信する際にある程度の柔軟性を有するようになる。
【００２０】
選択的に、ネットワーク装置は、異なるページング帯域幅に対して異なるビームでページングメッセージを端末装置に送信し、異なるビームはＴＤＭで時分割送信されることができ、これによりリソースの利用率を向上できる。
【００２１】
１つの可能な実現形態において、該ページングパラメータが、残りの最小システム情報ＲＭＳＩまたは他のシステム情報ＯＳＩに搬送される。
【００２２】
第２の態様によれば、ネットワーク装置がページング対象の端末装置を決定するステップと、該ネットワーク装置が少なくとも１つのページング帯域幅でページングメッセージを該端末装置に送信し、該少なくとも１つのページング帯域幅の各々が端末装置の最小帯域幅能力以下であるステップと、を含むページング方法を提供する。
【００２３】
１つの可能な実現形態において、該方法は、該ネットワーク装置が、ページングメッセージを搬送するための複数のページング帯域幅の配置情報を該端末装置に送信し、該複数のページング帯域幅の配置情報が、該端末装置が該少なくとも１つのページング帯域幅の周波数領域位置を決定するために用いられ、該複数のページング帯域幅の各々がいずれも該最小帯域幅能力以下であるステップをさらに含む。
【００２４】
１つの可能な実現形態において、該複数のページング帯域幅の配置情報が、該複数のページング帯域幅の各々の周波数領域位置情報および／または該複数のページング帯域幅の各々の周波数領域オフセット情報を含む。
【００２５】
１つの可能な実現形態において、該複数のページング帯域幅の配置情報が、残りの最小システム情報ＲＭＳＩに搬送される。
【００２６】
１つの可能な実現形態において、該複数のページング帯域幅のうちの少なくとも２つのページング帯域幅の周波数領域位置が、完全に重ならない。
【００２７】
１つの可能な実現形態において、該複数のページング帯域幅が、ページングフレームおよび／またはページング機会を決定するためのページングパラメータの複数組に１対１に対応する複数のページング帯域幅集合に属する。
【００２８】
１つの可能な実現形態において、同一のページング帯域幅集合のページング帯域幅が、同一の帯域幅部分ＢＷＰに属する。
【００２９】
１つの可能な実現形態において、該ページングパラメータが、残りの最小システム情報ＲＭＳＩまたは他のシステム情報ＯＳＩに搬送される。
【００３０】
第３の態様によれば、上記第１の態様または第１の態様の任意の可能な実現形態における方法を実行するために用いられる端末装置を提供する。具体的には、該端末装置は、上記第１の態様または第１の態様の任意の可能な実現形態における方法を実行するために用いられるユニットを含む。
【００３１】
第４の態様によれば、上記第２の態様または第２の態様の任意の可能な実現形態における方法を実行するために用いられるネットワーク装置を提供する。具体的には、該ネットワーク装置は、上記第２の態様または第２の態様の任意の可能な実現形態における方法を実行するために用いられるユニットを含む。
【００３２】
第５の態様によれば、メモリと、プロセッサと、入力インタフェースと、出力インタフェースとを含む端末装置を提供する。メモリ、プロセッサ、入力インタフェースおよび出力インタフェースはバスシステムを介して接続される。該メモリは命令を記憶するために用いられ、該プロセッサは該メモリに記憶された命令を実行するために用いられ、上記第１の態様または第１の態様の任意の可能な実現形態における方法を実行するために用いられる。
【００３３】
第６の態様によれば、メモリと、プロセッサと、入力インタフェースと、出力インタフェースとを含むネットワーク装置を提供する。メモリ、プロセッサ、入力インタフェースおよび出力インタフェースはバスシステムを介して接続される。該メモリは命令を記憶するために用いられ、該プロセッサは該メモリに記憶された命令を実行するために用いられ、上記第２の態様または第２の態様の任意の可能な実現形態における方法を実行するために用いられる。
【００３４】
第７の態様によれば、上記第１の態様または第１の態様の任意の可能な実現形態における方法、または上記第２の態様または第２の態様の任意の可能な実現形態における方法を実行するために使用されるコンピュータソフトウェア命令を記憶するために用いられる、上記態様を実行するために設計されたプログラムを含むコンピュータ記憶媒体を提供する。
【００３５】
第８の態様によれば、コンピュータで実行されると、コンピュータに、上記第１の態様または第１の態様のいずれかの選択可能な実現形態における方法、または上記第２の態様または第２の態様のいずれかの選択可能な実現形態における方法を実行させる命令を含むコンピュータプログラム製品を提供する。
【００３６】
本願のこれらの態様または他の態様は、以下の実施例の説明においてより容易に理解される。
【図面の簡単な説明】
【００３７】
【図１】本願の実施例の１つの適用シーンを示す概略図である。
【図２】本願の実施例のページング方法を示す概略ブロック図である。
【図３】本願の実施例のページング方法を示す別の概略ブロック図である。
【図４】本願の実施例の端末装置を示す概略ブロック図である。
【図５】本願の実施例のネットワーク装置を示す概略ブロック図である。
【図６】本願の実施例の端末装置を示す別の概略ブロック図である。
【図７】本願の実施例のネットワーク装置を示す別の概略ブロック図である。
【発明を実施するための形態】
【００３８】
以下、本願の実施例における図面を参照しながら、本願の実施例における技術案を明瞭かつ完全に説明する。
【００３９】
本願の実施例の技術案は、例えば、移動通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｖｅｄ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）または将来の５Ｇシステムなど、様々な通信システムに適用できることが理解される。
【００４０】
特に、本願の実施例の技術案は、例えば、スパース符号多元接続（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システムなど、非直交多元接続技術に基づく様々な通信システムに適用でき、ＳＣＭＡシステムおよびＬＤＳシステムは、通信分野において他の名前と呼ばれることもあることは勿論である。さらに、本願の実施例の技術案は、例えば、非直交多元接続技術を採用する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルタバンクマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタ直交周波数分割多重（Ｆｉｌｔｅｒｅｄ−ＯＦＤＭ、Ｆ−ＯＦＤＭ）システムなど、非直交多元接続技術を採用するマルチキャリア伝送システムに適用できる。
【００４１】
本願の実施例における端末装置は、ユーザー機器（Ｕｓｅｒ  Ｅｑｕｉｐｍｅｎｔ、ＵＥ）、アクセス端末、ユーザーユニット、加入者ステーション、移動局、モバイルステーション、遠隔局、遠隔端末、移動装置、ユーザー端末、端末、無線通信装置、ユーザーエージェントまたはユーザー装置であってもよい。アクセス端末は、携帯電話、無線電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、計算装置または無線モデムに接続された他の処理装置、車載装置、ウェアラブル装置、将来の５Ｇネットワークにおける端末装置または将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末装置などであってもよいが、本願の実施例はこれらに限定されるものではない。
【００４２】
本願の実施例におけるネットワーク装置は、端末装置と通信するための装置であってもよく、該ネットワーク装置は、ＧＳＭまたはＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける進化型基地局（Ｅｖｏｌｕｔｉｏｎａｌ  ＮｏｄｅＢ、ｅＮＢまたはｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンにおける無線コントローラであってもよく、または該ネットワーク装置は、中継局、アクセスポイント、車載装置、ウェアラブル装置、および将来の５Ｇネットワークにおけるネットワーク装置または将来の進化型ＰＬＭＮネットワークにおけるネットワーク装置などであってもよいが、本願の実施例はこれらに限定されるものではない。
【００４３】
図１は、本願の実施例の１つの適用シーンの概略図である。図１における通信システムは、端末装置１０と、ネットワーク装置２０とを含むことができる。ネットワーク装置２０は、端末装置１０に通信サービスを提供し、コアネットワークにアクセスするためのものであり、端末装置１０は、ネットワーク装置２０から送信された同期信号やブロードキャスト信号などを検索することによりネットワークにアクセスし、これにより、ネットワークとの通信を行う。図１に示される矢印は、端末装置１０とネットワーク装置２０との間のセルラーリンクを介した上り／下りの伝送を表すことができる。
【００４４】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）ＬＴＥシステムにおいて、ネットワークはアイドル（ｉｄｌｅ）状態のＵＥにページングを送信できる。ページングプロセスは、ｉｄｌｅ状態にあるＵＥにページング要求を送信するか、またはシステムに情報更新を通知するか、ＵＥに地震津波警報情報（Ｅａｒｔｈｑｕａｋｅ  ａｎｄ  Ｔｓｕｎａｍｉ  Ｗａｒｎｉｎｇ  Ｓｙｓｔｅｍ、ＥＴＷＳ）および商用移動警報サービス（Ｃｏｍｍｅｒｃｉａｌ  Ｍｏｂｉｌｅ  Ａｌｅｒｔ  Ｓｅｒｖｉｃｅ、ＣＭＡＳ）などの情報を受信することを通知するために、コアネットワークまたは基地局によってトリガされてもよい。基地局は、コアネットワークのページングメッセージを受信すると、その中の内容を解読し、該ＵＥのトラッキングエリア識別（Ｔｒａｃｋｉｎｇ  Ａｒｅａ  Ｉｄｅｎｔｉｔｙ、ＴＡＩ）リストを入手し、リスト中のトラッキングエリアに配下のセルでエアインターフェースのページングを行う。
【００４５】
システム帯域幅の中には、ページングメッセージを搬送するためのページング帯域幅が存在し、従来技術におけるページング帯域幅は、ページングされた端末装置の帯域幅能力よりも大きい可能性が高く、それにより、ページングされた端末装置は自身のページングメッセージを受信することができないようにする。
【００４６】
この場合には、本願の実施例は、上記問題の発生を回避できるページング方法を提供する。
【００４７】
本明細書において、「システム」および「ネットワーク」という用語は、しばしば、本明細書において交換可能に使用されることが理解される。本明細書において用語「および／または」は、関連対象の関連関係を説明するだけであり、３つの関係が存在することを表し、例えば、Ａおよび／またはＢは、Ａが単独に存在し、ＡおよびＢが同時に存在し、Ｂが単独に存在するという３種類を表す。また、本明細書において符号「／」は、一般的に前後の関連対象が「または」関係であることを示す。
【００４８】
図２は、本願の実施例のページング方法１００を示す概略ブロック図である。図２に示すように、該方法１００は、以下の部分または全体を含む。
Ｓ１１０において、端末装置が該端末装置のページングメッセージを搬送するための少なくとも１つのページング帯域幅を決定し、該少なくとも１つのページング帯域幅の各々が端末装置の最小帯域幅能力以下である。
Ｓ１２０において、該端末装置が該少なくとも１つのページング帯域幅で該ページングメッセージを受信する。
【００４９】
具体的には、ネットワーク装置は、システム帯域幅内に複数のページング帯域幅を配置でき、各ページング帯域幅は、端末装置の最小帯域幅能力、例えば、１０ＭＨｚ以下であり得る。これにより、自装置の帯域幅能力がページング帯域幅よりも小さいため、一部の端末装置がページングメッセージを受信できないことが発生することを回避できる。ネットワーク装置は、ページングメッセージ送信の輻輳を低減するために、端末装置毎に１つのページング帯域幅を配置してもよく、端末装置毎に複数のページング帯域幅を配置してもよい。ネットワーク装置は、ページング帯域幅を周期的に配置でき、さらに柔軟性を向上できる。例えば、ネットワーク装置は、ある時刻に、自身がカバーするセル内の全ての端末装置の帯域幅能力を事前に決定し、ネットワーク装置がカバーするセル内の全ての端末装置がページングメッセージを受信することを可能にするために、各ページング帯域幅がいずれもその最小帯域幅能力よりも大きくないように、システム帯域幅内のページング帯域幅を、その最小帯域幅能力に従って配置してもよい。ネットワーク装置は、少なくとも１つのページング帯域幅でページングメッセージを端末装置に送信でき、端末装置は、まず、自身に属するページング帯域幅を決定し、次いで、自身に属するページング帯域幅で自身のページングメッセージを受信することができる。
【００５０】
したがって、本願の実施例のページング方法は、ページング帯域幅を配置する際に、端末装置の最小帯域幅能力を考慮することにより、帯域幅能力不足によるページングメッセージの受信ができなくなるという端末装置の問題を回避することができる。
【００５１】
まず、ページング帯域幅について説明すると、ページング帯域幅とは、ページングメッセージを搬送するために定義されるが、該ページング帯域幅で、例えば、同期情報などの他の情報を搬送することを排除するものではない。本願の実施例におけるページング帯域幅は周波数領域上で定義され、異なるページング帯域幅は周波数領域上で全く重なっていなくてもよく、部分的に重なっていてもよく、時間領域上で限定されず、つまり、ページング帯域幅は時間領域上で完全に重なっていてもよい。例えば、システム帯域幅は４０ＭＨｚであり、同一シンボル上の最高１０ＭＨｚおよび最低１０ＭＨｚのリソースを２つのページング帯域幅とすることができる。
【００５２】
選択的に、本願の実施例では、該方法は、該端末装置がページングメッセージを搬送するための複数のページング帯域幅を決定し、該複数のページング帯域幅の各々がいずれも該最小帯域幅能力以下であるステップをさらに含み、該端末装置が該端末装置のページングメッセージを搬送するための少なくとも１つのページング帯域幅を決定することは、該端末装置が該複数のページング帯域幅の中から該少なくとも１つのページング帯域幅を決定することを含む。
【００５３】
具体的には、端末装置は、ネットワーク装置がシステム帯域幅内に配置した複数のページング帯域幅を決定し、さらに、端末装置は、複数のページング帯域幅の中から自身に属する少なくとも１つのページング帯域幅を決定し得る。例えば、端末装置は、自身に属する少なくとも１つのページング帯域幅の識別子を予め決定し、端末装置が複数のページング帯域幅の周波数領域位置を事前に知っている場合には、端末装置は、自身に属する少なくとも１つのページング帯域幅の周波数領域位置を知ることができる。システム帯域幅内の複数のページング帯域幅は、ネットワーク装置により事前に配置されてもよく、または、例えば、端末装置内に予め設定され得るプロトコルによって合意されてもよいことが理解される。一方、端末装置は、システム帯域幅内の全てのページング帯域幅を結合することなく、自身に属する少なくとも１つのページング帯域幅を取得することができる。例えば、端末装置の取得したページング指示情報が当該少なくとも１つのページング帯域幅を直接的に指示し、この場合には、端末装置は、ページング指示情報に応じて、自身に属する少なくとも１つのページング帯域幅を直接的に決定することができる。
【００５４】
ＮＲでは、４００ＭＨｚまでの広い帯域幅（ｗｉｄｅｂａｎｄ）のキャリアがサポートされる。ネットワーク側では、広い帯域幅のキャリアをサポートすることに問題はないが、ＵＥに対しては、コスト、電力などに制限され、サポートされる最大帯域幅はＵＥの能力によって制限される。したがって、１つの広い帯域幅のキャリアに対して、１つまたは複数の帯域幅部分（ｂａｎｄｗｉｄｔｈ  ｐａｒｔ、ＢＷＰ）を配置し、各ＢＷＰは、１組の連続するＰＲＢを含み得る。１つのＵＥに対して、１つのサービングセルでは、最大１つのアクティブ（ａｃｔｉｖｅ）な下り（Ｄｏｗｎｌｉｎｋ、ＤＬ）ＢＷＰと最大１つのａｃｔｉｖｅな上り（Ｕｐｌｉｎｋ、ＵＬ）ＢＷＰの同時存在が許可される。かつ、ＵＥに対してＢＷＰが配置される前に、最初のａｃｔｉｖｅ  ＤＬ／ＵＬ  ＢＷＰが存在し、無線リソース制御（Ｒａｄｉｏ  Ｒｅｓｏｕｒｃｅ  Ｃｏｎｔｒｏｌ、ＲＲＣ）接続確立過程中または確立後に、ＵＥのために特定のａｃｔｉｖｅ  ＤＬ／ＵＬ  ＢＷＰを配置できる。
【００５５】
システム帯域幅内に定義された複数のページング帯域幅を複数の異なるＢＷＰに分散させることにより、ページングの負荷を異なるＢＷＰで平均化することができ、複数のページング帯域幅の中で一部のページング帯域幅も同一のＢＷＰにあり得、例えば、複数のページング帯域幅は、同一のＢＷＰ中間周波数領域で部分的に重なっていてもよく、または全く重なっていなくてもよい。
【００５６】
選択的に、本願の実施例では、該方法は、該端末装置が該ネットワーク装置から送信された該複数のページング帯域幅の配置情報を受信するステップをさらに含み、該端末装置が該複数のページング帯域幅の中から該少なくとも１つのページング帯域幅を決定することは、該端末装置が該端末装置の識別子および該複数のページング帯域幅の配置情報に基づいて、該少なくとも１つのページング帯域幅の各々の周波数領域位置を決定することを含む。
【００５７】
端末装置は、自身の識別子（ｉｄｅｎｔｉｔｙ、ＩＤ）に基づいて、自身に属する少なくとも１つのページング帯域幅が位置する周波数領域位置を決定できる。例えば、ＵＥ＿ＩＤ＝（国際移動加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）ｍｏｄ  １０２４）、ページング帯域幅のインデックス＝ＵＥ＿ＩＤ  ｍｏｄ  Ｎであり、ここで、Ｎはシステム帯域幅における全てのページング帯域幅の数である。ネットワーク装置は、システム帯域幅内の複数のページング帯域幅の配置情報を端末装置に指示でき、端末装置は、全てのページング帯域幅が位置する周波数領域位置を知ることができ、さらに、端末装置は、決定された自身に属するページング帯域幅のインデックスに基づいて、自身に属するページング帯域幅が位置する周波数領域位置を決定することができる。
【００５８】
選択的に、本願の実施例では、該複数のページング帯域幅の配置情報が、該複数のページング帯域幅の各々の周波数領域位置情報および／または該複数のページング帯域幅の各々の周波数領域オフセット情報を含む。
【００５９】
ネットワーク装置は、複数のページング帯域幅の各々の周波数領域位置を端末装置に直接的に指示してもよく、周波数領域オフセットなどによって間接的に指示してもよい。例えば、ネットワーク装置は、同期信号ブロック（Ｓｙｎｃｈｒｏｎｉｚａｔｉｏｎ  Ｓｉｇｎａｌ  Ｂｌｏｃｋ、ＳＳＢ）の周波数領域位置に対するページング帯域幅のオフセット、またはブロードキャスト信号の周波数領域位置に対するページング帯域幅のオフセットなどによって指示してもよい。ネットワーク装置は、システム帯域幅の中心周波数ポイントの周波数領域位置に対するオフセットによって指示してもよく、ネットワーク装置は、あるＢＷＰの周波数領域位置によって指示してもよい。例えば、各ＢＷＰの配置情報を端末装置にネットワーク装置が事前に通知し、ページング帯域幅の数がネットワークにより配置されたＢＷＰの数と同数であり、つまり、各ＢＷＰにいずれも１つのページング帯域幅が配置されていることを端末装置にネットワーク装置が通知し、各ページング帯域幅がその所在するＢＷＰの中央１０ＭＨｚを占有していることを端末装置が事前に知るようにしてもよい。端末装置は、各ＢＷＰの配置情報を知ると、各ページング帯域幅の占有している周波数領域位置を知ることができる。
【００６０】
選択的に、本願の実施例では、該複数のページング帯域幅の配置情報が、残りの最小システム情報ＲＭＳＩに搬送される。
【００６１】
ページング帯域幅がネットワーク装置により配置される場合、ネットワーク装置は、該複数のページング帯域幅の配置情報を、システムメッセージによって端末装置に通知し得る。例えば、該システムメッセージは、残りの最小システム情報（Ｒｅｍａｉｎｉｎｇ  ｍｉｎｉｍｕｍ  ｓｙｓｔｅｍ  ｉｎｆｏｒｍａｔｉｏｎ、ＲＭＳＩ）または他のシステム情報（ｏｔｈｅｒ  ｓｙｓｔｅｍ  ｉｎｆｏｒｍａｔｉｏｎ、ＯＳＩ）のいずれかであり得る。
【００６２】
選択的に、本願の実施例では、該複数のページング帯域幅が、ページングフレームおよび／またはページング機会を決定するためのページングパラメータの複数組に１対１に対応する複数のページング帯域幅集合に属する。
【００６３】
端末装置が自身に属するページング帯域幅を取得した後、端末装置は、自身に属するページングパラメータを知る必要があり、例えば、端末装置は、自身に属するページング機会（ｐａｇｉｎｇ  ｏｃｃａｓｉｏｎ、ＰＯ）を知る必要があり、このようにして、端末装置は、該当する時点でページングメッセージを受信できる。当業者であれば、基地局がコアネットワークのページングメッセージを受信した後、ＰＯが同一であるＵＥのページングメッセージを１つのページングメッセージにまとめ、ページングチャネルを介して関連するＵＥに送信できることが理解される。ＵＥは、ページングパラメータをシステムメッセージで受信し、ＰＯを自身のＩＭＳＩと共に計算し、ページングメッセージを該当する時点で受信する。ページングメッセージは、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）によって搬送され、ＵＥは、ページング無線ネットワーク一時的識別子（Ｐａｇｉｎｇ−Ｒａｄｉｏ  Ｎｅｔｗｏｒｋ  Ｔｅｍｐｏｒｙ  Ｉｄｅｎｔｉｔｙ、Ｐ−ＲＮＴＩ）によってスクランブルされた物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を検出することによってページング指示情報を取得し、これによりページングメッセージを受信する。Ｉｄｌｅ状態のＵＥは、不連続受信（Ｄｉｓｃｏｎｔｉｎｕｏｕｓ  Ｒｅｃｅｐｔｉｏｎ、ＤＲＸ）で電力を節約し、ＵＥは、システムメッセージからＤＲＸ関連情報を取得する。１つのＤＲＸサイクル中のページングフレーム（ｐａｇｉｎｇ  ｆｒａｍｅ、ＰＦ）上のＰＯは、Ｐ−ＲＮＴＩによってスクランブルされたＰＤＣＣＨをリッスンしてページングメッセージを受信する。ＰＦはページングメッセージがどのシステムフレーム番号に出現すべきかを示し、ＰＯは出現し得るサブフレーム時刻を示す。
【００６４】
ページングパラメータは、異なるページング帯域幅に対して独立して構成されてもよく、複数のページング帯域幅は、複数のページング帯域幅集合に分割されてもよく、１組のページングパラメータは、各ページング帯域幅集合内のページング帯域幅に対して独立して構成されてもよく、つまり、異なるページング帯域幅集合に対応するページングパラメータは、独立して構成され得るが、同一のページング帯域幅集合におけるページング帯域幅のページングパラメータは、共通に構成される。
【００６５】
各ページング帯域幅集合におけるページング帯域幅の数は、同じであっても異なっていてもよく、例えば、第１のページング帯域幅集合は、１つのページング帯域幅を含み、第２のページング帯域幅集合は、２つのページング帯域幅を含む。同一のＢＷＰに属するページング帯域幅を同一のページング帯域幅集合に分割してもよい。
【００６６】
ページングパラメータは、異なるページング帯域幅または異なる帯域幅集合に対して独立して構成されることにより、ネットワーク装置がページングメッセージを送信する際にある程度の柔軟性を有するようになる。
【００６７】
ネットワーク装置は、異なるページング帯域幅に対して異なるビームでページングメッセージを端末装置に送信してもよく、異なるビームは時分割多重化（Ｔｉｍｅ−Ｄｉｖｉｓｉｏｎ  Ｍｕｌｔｉｐｌｅｘｉｎｇ、ＴＤＭ）で時分割送信することができ、これによりリソースの利用率を向上できる。
【００６８】
選択的に、本願の実施例では、該ページングパラメータが、残りの最小システム情報ＲＭＳＩまたは他のシステム情報ＯＳＩに搬送される。
【００６９】
上記説明から分かるように、ネットワーク装置は、ページング帯域幅のページングパラメータを、システムメッセージを通じて通知し得る。例えば、該システムメッセージは、ＲＭＳＩまたはＯＳＩのいずれかであり得る。
【００７０】
図３は、本願の実施例のページング方法２００を示す概略ブロック図である。図３に示すように、該方法２００は、以下の部分または全体を含む。
Ｓ２１０において、ネットワーク装置がページング対象の端末装置を決定する。
Ｓ２２０において、該ネットワーク装置が少なくとも１つのページング帯域幅でページングメッセージを該端末装置に送信し、該少なくとも１つのページング帯域幅の各々が端末装置の最小帯域幅能力以下である。
【００７１】
したがって、本願の実施例のページング方法は、ページング帯域幅を配置する際に、端末装置の最小帯域幅能力を考慮することにより、帯域幅能力不足によるページングメッセージの受信ができなくなるという端末装置の問題を回避することができる。
【００７２】
選択的に、本願の実施例では、該方法は、該ネットワーク装置が、ページングメッセージを搬送するための複数のページング帯域幅の配置情報を該端末装置に送信し、該複数のページング帯域幅の配置情報が、該端末装置が該少なくとも１つのページング帯域幅の周波数領域位置を決定するために用いられ、該複数のページング帯域幅の各々がいずれも該最小帯域幅能力以下であるステップをさらに含む。
【００７３】
選択的に、本願の実施例では、該複数のページング帯域幅の配置情報が、該複数のページング帯域幅の各々の周波数領域位置情報および／または該複数のページング帯域幅の各々の周波数領域オフセット情報を含む。
【００７４】
選択的に、本願の実施例では、該複数のページング帯域幅の配置情報が、残りの最小システム情報ＲＭＳＩに搬送される。
【００７５】
選択的に、本願の実施例では、該複数のページング帯域幅のうちの少なくとも２つのページング帯域幅の周波数領域位置が、完全に重ならない。
【００７６】
選択的に、本願の実施例では、該複数のページング帯域幅が、ページングフレームおよび／またはページング機会を決定するためのページングパラメータの複数組に１対１に対応する複数のページング帯域幅集合に属する。
【００７７】
選択的に、本願の実施例では、同一のページング帯域幅集合のページング帯域幅が、同一の帯域幅部分ＢＷＰに属する。
【００７８】
選択的に、本願の実施例では、該ページングパラメータが、残りの最小システム情報ＲＭＳＩまたは他のシステム情報ＯＳＩに搬送される。
【００７９】
ネットワーク装置によって記述されるネットワーク装置と端末装置との間の相互作用および関連する特性、機能などは、端末装置の関連する特性、機能に対応すると理解すべきである。なお、関連する内容は、上記方法１００において詳細に説明されているので、簡潔のために、ここでは説明しない。
【００８０】
また、本願の各実施例では、上記各プロセスの番号は実行順序の先後を意味するものではなく、各プロセスの実行順序はその機能および内部論理で決定され、本願の実施例の実施過程を何ら限定するものではないと理解すべきである。
【００８１】
以上、本願の実施例によるページング方法について詳細に説明したが、以下に、本願の実施例によるページング装置について、図４〜図７を参照して説明し、方法の実施例に記載された技術的特徴は、以下の装置の実施例に適用される。
【００８２】
図４は、本願の実施例の端末装置３００を示す概略ブロック図である。図４に示すように、該端末装置３００は、
該端末装置のページングメッセージを搬送するための少なくとも１つのページング帯域幅を決定するために用いられ、該少なくとも１つのページング帯域幅の各々が端末装置の最小帯域幅能力以下である第１の決定ユニット３１０と、
該少なくとも１つのページング帯域幅で該ページングメッセージを受信するために用いられる第１の受信ユニット３２０と、を含む。
【００８３】
したがって、本願の実施例の端末装置は、ページング帯域幅を配置する際に、端末装置の最小帯域幅能力を考慮することにより、帯域幅能力不足によるページングメッセージの受信ができなくなるという端末装置の問題を回避することができる。
【００８４】
選択的に、本願の実施例では、該端末装置は、ページングメッセージを搬送するための複数のページング帯域幅を決定するために用いられ、該複数のページング帯域幅の各々がいずれも該最小帯域幅能力以下である第２の決定ユニットをさらに含み、該第１の決定ユニットは、具体的には、該複数のページング帯域幅の中から該少なくとも１つのページング帯域幅を決定するために用いられる。
【００８５】
選択的に、本願の実施例では、該端末装置は、該ネットワーク装置から送信された該複数のページング帯域幅の配置情報を受信するために用いられる第２の受信ユニットをさらに含み、該第１の決定ユニットは、具体的には、該端末装置の識別子および該複数のページング帯域幅の配置情報に基づいて、該少なくとも１つのページング帯域幅の各々の周波数領域位置を決定するために用いられる。
【００８６】
選択的に、本願の実施例では、該複数のページング帯域幅の配置情報が、該複数のページング帯域幅の各々の周波数領域位置情報および／または該複数のページング帯域幅の各々の周波数領域オフセット情報を含む。
【００８７】
選択的に、本願の実施例では、該複数のページング帯域幅の配置情報が、残りの最小システム情報ＲＭＳＩに搬送される。
【００８８】
選択的に、本願の実施例では、該複数のページング帯域幅のうちの少なくとも２つのページング帯域幅の周波数領域位置が、完全に重ならない。
【００８９】
選択的に、本願の実施例では、該複数のページング帯域幅が、ページングフレームおよび／またはページング機会を決定するためのページングパラメータの複数組に１対１に対応する複数のページング帯域幅集合に属する。
【００９０】
選択的に、本願の実施例では、同一のページング帯域幅集合のページング帯域幅が、同一の帯域幅部分ＢＷＰに属する。
【００９１】
選択的に、本願の実施例では、該ページングパラメータが、残りの最小システム情報ＲＭＳＩまたは他のシステム情報ＯＳＩに搬送される。
【００９２】
本願の実施例による端末装置３００は、本願の方法の実施例における端末装置に対応することができ、かつ端末装置３００における各ユニットの上記および他の操作および／または機能は、図２の方法における端末装置の対応するフローをそれぞれ実現するためのものであり、簡潔のために、ここでは説明しないと理解すべきである。
【００９３】
図５は、本願の実施例のネットワーク装置４００を示す概略ブロック図である。図５に示すように、該ネットワーク装置４００は、
ページング対象の端末装置を決定するために用いられる決定ユニット４１０と、
少なくとも１つのページング帯域幅でページングメッセージを該端末装置に送信するために用いられ、該少なくとも１つのページング帯域幅の各々が端末装置の最小帯域幅能力以下である第１の送信ユニット４２０と、を含む。
【００９４】
したがって、本願の実施例のネットワーク装置は、ページング帯域幅を配置する際に、端末装置の最小帯域幅能力を考慮することにより、帯域幅能力不足によるページングメッセージの受信ができなくなるという端末装置の問題を回避することができる。
【００９５】
選択的に、本願の実施例では、該ネットワーク装置は、ページングメッセージを搬送するための複数のページング帯域幅の配置情報を該端末装置に送信するために用いられ、該複数のページング帯域幅の配置情報が、該端末装置が該少なくとも１つのページング帯域幅の周波数領域位置を決定するために用いられ、該複数のページング帯域幅の各々が該最小帯域幅能力以下である第２の送信ユニットをさらに含む。
【００９６】
選択的に、本願の実施例では、該複数のページング帯域幅の配置情報が、該複数のページング帯域幅の各々の周波数領域位置情報および／または該複数のページング帯域幅の各々の周波数領域オフセット情報を含む。
【００９７】
選択的に、本願の実施例では、該複数のページング帯域幅の配置情報が、残りの最小システム情報ＲＭＳＩに搬送される。
【００９８】
選択的に、本願の実施例では、該複数のページング帯域幅のうちの少なくとも２つのページング帯域幅の周波数領域位置が、完全に重ならない。
【００９９】
選択的に、本願の実施例では、該複数のページング帯域幅が、ページングフレームおよび／またはページング機会を決定するためのページングパラメータの複数組に１対１に対応する複数のページング帯域幅集合に属する。
【０１００】
選択的に、本願の実施例では、同一のページング帯域幅集合のページング帯域幅が、同一の帯域幅部分ＢＷＰに属する。
【０１０１】
選択的に、本願の実施例では、該ページングパラメータが、残りの最小システム情報ＲＭＳＩまたは他のシステム情報ＯＳＩに搬送される。
【０１０２】
本願の実施例によるネットワーク装置４００は、本願の方法の実施例におけるネットワーク装置に対応することができ、かつネットワーク装置４００における各ユニットの上記および他の操作および／または機能は、図３の方法におけるネットワーク装置の対応するフローをそれぞれ実現するためのものであり、簡潔のために、ここでは説明しないと理解すべきである。
【０１０３】
図６に示すように、本願の実施例は、図２の方法１００に対応する端末装置の内容を実行するために使用され得る、図４の端末装置３００であり得る端末装置５００をさらに提供する。該端末装置５００は、入力インタフェース５１０と、出力インタフェース５２０と、プロセッサ５３０と、メモリ５４０とを含み、該入力インタフェース５１０、出力インタフェース５２０、プロセッサ５３０およびメモリ５４０はバスシステムを介して接続されてもよい。該メモリ５４０は、プログラム、命令またはコードを記憶するために用いられる。該プロセッサ５３０は、入力インタフェース５１０を制御して信号を受信させ、出力インタフェース５２０を制御して信号を送信させ、および前述の方法の実施例における操作を完了するように、該メモリ５４０内のプログラム、命令またはコードを実行するために用いられる。
【０１０４】
したがって、本願の実施例の端末装置は、ページング帯域幅を配置する際に、端末装置の最小帯域幅能力を考慮することにより、帯域幅能力不足によるページングメッセージの受信ができなくなるという端末装置の問題を回避することができる。
【０１０５】
本願の実施例では、該プロセッサ５３０は、中央処理ユニット（Ｃｅｎｔｒａｌ  Ｐｒｏｃｅｓｓｉｎｇ  Ｕｎｉｔ、ＣＰＵ）であってもよく、該プロセッサ５３０は、他の汎用プロセッサ、デジタル信号プロセッサ、特定用途向け集積回路、現場でプログラム可能なゲートアレイまたは他のプログラム可能な論理デバイス、ディスクリートゲートまたはトランジスタ論理デバイス、ディスクリートハードウェアコンポーネントなどであってもよいことが理解されるべきである。汎用プロセッサはマイクロプロセッサであってもよく、または該プロセッサは任意の従来のプロセッサなどであってもよい。
【０１０６】
該メモリ５４０は、読み出し専用メモリおよびランダムアクセスメモリを含むことができ、プロセッサ５３０に命令およびデータを提供する。メモリ５４０の一部は、不揮発性ランダムアクセスメモリも含み得る。例えば、メモリ５４０は、デバイスタイプの情報をさらに記憶することができる。
【０１０７】
実現過程において、上記方法の各ステップはプロセッサ５３０におけるハードウェアの集積論理回路またはソフトウェア形式の命令により完了することができる。本願の実施例に開示された方法を組み合わせるステップは、ハードウェアプロセッサの実行、またはプロセッサにおけるハードウェアおよびソフトウェアモジュールの組み合わせにより直接完了する。ソフトウェアモジュールはランダムメモリ、フラッシュメモリ、読み出し専用メモリ、プログラマブル読み出し専用メモリまたは電気的に消去可能なプログラマブルメモリ、レジスタなどの当該技術分野の成熟した記憶媒体に位置することができる。該記憶媒体はメモリ５４０に位置し、プロセッサ５３０はメモリ５４０における情報を読み取り、そのハードウェアと組み合わせて上記方法のステップを完了する。重複を避けるため、ここでは詳細に説明しない。
【０１０８】
一具体的な実施形態では、端末装置３００における第１の受信ユニットおよび第２の受信ユニットは、図６における入力インタフェース５１０によって実現され、端末装置３００における第１の決定ユニットおよび第２の決定ユニットは、図６におけるプロセッサ５３０によって実現される。
【０１０９】
図７に示すように、本願の実施例は、図３の方法２００に対応するネットワーク装置の内容を実行するために使用され得る、図５のネットワーク装置４００であり得るネットワーク装置６００をさらに提供する。該ネットワーク装置６００は、入力インタフェース６１０と、出力インタフェース６２０と、プロセッサ６３０と、メモリ６４０とを含み、該入力インタフェース６１０、出力インタフェース６２０、プロセッサ６３０およびメモリ６４０はバスシステムを介して接続されてもよい。該メモリ６４０は、プログラム、命令またはコードを記憶するために用いられる。該プロセッサ６３０は、入力インタフェース６１０を制御して信号を受信させ、出力インタフェース６２０を制御して信号を送信させ、および前述の方法の実施例における操作を完了するように、該メモリ６４０内のプログラム、命令またはコードを実行するために用いられる。
【０１１０】
したがって、本願の実施例のネットワーク装置は、ページング帯域幅を配置する際に、端末装置の最小帯域幅能力を考慮することにより、帯域幅能力不足によるページングメッセージの受信ができなくなるという端末装置の問題を回避することができる。
【０１１１】
本願の実施例では、該プロセッサ６３０は、中央処理ユニット（Ｃｅｎｔｒａｌ  Ｐｒｏｃｅｓｓｉｎｇ  Ｕｎｉｔ、ＣＰＵ）であってもよく、該プロセッサ６３０は、他の汎用プロセッサ、デジタル信号プロセッサ、特定用途向け集積回路、現場でプログラム可能なゲートアレイまたは他のプログラム可能な論理デバイス、ディスクリートゲートまたはトランジスタ論理デバイス、ディスクリートハードウェアコンポーネントなどであってもよいことが理解されるべきである。汎用プロセッサはマイクロプロセッサであってもよく、または該プロセッサは任意の従来のプロセッサなどであってもよい。
【０１１２】
該メモリ６４０は、読み出し専用メモリおよびランダムアクセスメモリを含むことができ、プロセッサ６３０に命令およびデータを提供する。メモリ６４０の一部は、不揮発性ランダムアクセスメモリも含み得る。例えば、メモリ６４０は、デバイスタイプの情報をさらに記憶することができる。
【０１１３】
実現過程において、上記方法の各ステップはプロセッサ６３０におけるハードウェアの集積論理回路またはソフトウェア形式の命令により完了することができる。本願の実施例に開示された方法を組み合わせるステップは、ハードウェアプロセッサの実行、またはプロセッサにおけるハードウェアおよびソフトウェアモジュールの組み合わせにより直接完了する。ソフトウェアモジュールはランダムメモリ、フラッシュメモリ、読み出し専用メモリ、プログラマブル読み出し専用メモリまたは電気的に消去可能なプログラマブルメモリ、レジスタなどの当該技術分野の成熟した記憶媒体に位置することができる。該記憶媒体はメモリ６４０に位置し、プロセッサ６３０はメモリ６４０における情報を読み取り、そのハードウェアと組み合わせて上記方法のステップを完了する。重複を避けるため、ここでは詳細に説明しない。
【０１１４】
一具体的な実施形態では、ネットワーク装置４００における第１の送信ユニットおよび第２の送信ユニットは、図７における出力インタフェース６２０によって実現される。ネットワーク装置４００における決定ユニットは、図７におけるプロセッサ６３０によって実現される。
【０１１５】
当業者が分かるように、本明細書に開示された実施例を参照しながら説明した各例のユニットおよびアルゴリズムステップが、電子ハードウェア、またはコンピュータソフトウェアおよび電子ハードウェアの組み合わせで実現されることができる。これらの機能がハードウェアまたはソフトウェアで実行されるかは、技術案の特定のアプリケーションおよび設計制約条件に依存する。当業者は各特定のアプリケーションに対して異なる方法を用いて説明された機能を実現することができるが、このような実現は本願の範囲を超えると考えられるべきではない。
【０１１６】
当業者に自明なように、説明の利便さおよび簡素化から、上記説明されたシステム、装置およびユニットの具体的な作動過程については、前述の方法の実施例における対応過程を参照すればよいため、ここで詳細な説明を省略する。
【０１１７】
本願によるいくつかの実施例では、開示されたシステム、装置および方法は、他の形態により実現することもできると理解すべきである。例えば、以上に説明された装置の実施例は例示的なものにすぎない。例えば、該ユニットの分割は、論理機能上の分割にすぎず、実際に実施する際に別の形態で分割することもでき、例えば、複数のユニットまたはコンポーネントを別のシステムに組み合わせもしくは集積させたり、または一部の特徴を反映させず、実行しなかったりしてもよい。また、説明または検討した相互の結合または直接的な結合または通信接続は、いくつかのインタフェース、装置またはユニットを用いる間接的結合または通信接続であってもよいし、電気的形態、機械的形態またはその他の形態であってもよい。
【０１１８】
該分離部材として説明されるユニットは、物理的に分離されるものでもよければ、分離されないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。実際の必要に応じて、一部のユニットだけを用いるか、または全てのユニットを使用して本実施例の態様の目的を達成することができる。
【０１１９】
また、本願の各実施例において、各機能ユニットが１つの処理ユニットに集積されてもよいが、各ユニットが単独で物理的な部材として存在するか、または２つ以上のユニットが１つのユニットに集積されてもよい。
【０１２０】
該機能がソフトウェア機能ユニットの形態で実現され、かつ独立した製品として販売または使用される場合、コンピュータ可読記憶媒体に記憶されてもよい。このような知見に基づいて、本願の技術案は、本質的に、または従来技術に寄与する部分または該技術案の部分がソフトウェア製品の形態で表現することができ、該コンピュータソフトウェア製品は、記憶媒体に記憶されており、１台のコンピュータ機器（パソコン、サーバ、またはネットワーク装置など）に本願の各実施例に記載の方法の全部または一部のステップを実行させるのに用いる若干の命令を含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなどのプロクラムコードを記憶可能な種々の媒体を含む。
【０１２１】
本明細書に記載される内容は、本願の具体的な実施形態にすぎず、本願の保護範囲はこれに限定されない。当業者が本願に開示された技術的範囲内で容易に想到し得る変更や置換は、いずれも本願の保護範囲内に含まれる。したがって、本願の保護範囲は、特許請求の範囲に記載の内容に準拠する。
【図１】
2021503190.tif 000003
【図２】
2021503190.tif 000004
【図３】
2021503190.tif 000005
【図４】
2021503190.tif 000006
【図５】
2021503190.tif 000007
【図６】
2021503190.tif 000008
【図７】
2021503190.tif 000009
【手続補正書】
【提出日】令和2年9月28日(2020.9.28)
【手続補正１】
【補正対象書類名】明細書
【補正対象項目名】全文
【補正方法】変更
【補正の内容】
【発明の詳細な説明】
【技術分野】
【０００１】
本開示の実施例は、通信分野に関し、ページング方法、端末装置およびネットワーク装置に関する。
【背景技術】
【０００２】
システム帯域幅には、ページングメッセージを搬送するためのページング帯域幅が存在し、従来技術では、端末装置の能力がページング帯域幅と一致しないため、端末装置がページングメッセージを受信できないという問題があり得る。
【発明の概要】
【発明が解決しようとする課題】
【０００３】
このような事情に鑑みて、本開示の実施例は、ページング帯域幅が端末装置の能力を超えて端末装置が受信できなくなるという問題を回避できる、ページング方法、端末装置およびネットワーク装置を提供する。
【課題を解決するための手段】
【０００４】
第１の態様によれば、端末装置が該端末装置のページングメッセージを搬送するための少なくとも１つのページング帯域幅を決定し、該少なくとも１つのページング帯域幅の各々が端末装置の最小帯域幅能力の帯域幅の以下であるステップと、該端末装置が該少なくとも１つのページング帯域幅で該ページングメッセージを受信するステップと、を含むページング方法を提供する。
【０００５】
ページング帯域幅を配置する際に、端末装置の最小帯域幅能力の帯域幅を考慮することにより、帯域幅能力不足によるページングメッセージの受信ができなくなるという端末装置の問題を回避することができる。
【０００６】
１つの実施例において、ネットワーク装置は、ある時刻に、自身がカバーするセル内の全ての端末装置の帯域幅能力を事前に決定し、ネットワーク装置がカバーするセル内の全ての端末装置がページングメッセージを受信することを可能にするために、各ページング帯域幅がその最小帯域幅能力の帯域幅よりも大きくないように、システム帯域幅内のページング帯域幅を、その最小帯域幅能力に従って配置してもよい。
【０００７】
１つの可能な実現形態において、該方法は、該端末装置がページングメッセージを搬送するための複数のページング帯域幅を決定し、該複数のページング帯域幅の各々が該最小帯域幅能力の帯域幅の以下であるステップをさらに含み、該端末装置が該端末装置のページングメッセージを搬送するための少なくとも１つのページング帯域幅を決定することは、該端末装置が該複数のページング帯域幅の中から該少なくとも１つのページング帯域幅を決定することを含む。
【０００８】
１つの可能な実現形態において、該方法は、該端末装置が該ネットワーク装置から送信された該複数のページング帯域幅の配置情報を受信するステップをさらに含み、該端末装置が該複数のページング帯域幅の中から該少なくとも１つのページング帯域幅を決定することは、該端末装置が該端末装置の識別子および該複数のページング帯域幅の配置情報に基づいて、該少なくとも１つのページング帯域幅の各々の周波数領域位置を決定することを含む。
【０００９】
１つの実施例において、システム帯域幅内の複数のページング帯域幅は、ネットワーク装置により事前に配置されてもよく、または、例えば、端末装置内に予め設定され得るプロトコルによって合意されてもよい。
【００１０】
１つの実施例において、システム帯域幅内に定義された複数のページング帯域幅を複数の異なるＢＷＰに分散させることにより、ページングの負荷を異なるＢＷＰで平均化することができ、複数のページング帯域幅の中で一部のページング帯域幅も同一のＢＷＰにあり得る。
【００１１】
１つの可能な実現形態において、該複数のページング帯域幅の配置情報が、該複数のページング帯域幅の各々の周波数領域位置情報および／または該複数のページング帯域幅の各々の周波数領域オフセット情報を含む。
【００１２】
１つの可能な実現形態において、該複数のページング帯域幅の配置情報が、残りの最小システム情報ＲＭＳＩに搬送される。
【００１３】
１つの実施例において、該配置情報は他のシステム情報ＯＳＩに搬送されることも可能である。
【００１４】
１つの可能な実現形態において、該複数のページング帯域幅のうちの少なくとも２つのページング帯域幅の周波数領域位置が、完全に重ならない。
【００１５】
１つの可能な実現形態において、該複数のページング帯域幅が、ページングフレームおよび／またはページング機会を決定するためのページングパラメータの複数組に１対１に対応する複数のページング帯域幅集合に属する。
【００１６】
１つの実施例において、異なるページング帯域幅集合に対応するページングパラメータは、独立して構成され得るが、同一のページング帯域幅集合におけるページング帯域幅のページングパラメータは、共通に構成される。
【００１７】
１つの実施例において、各ページング帯域幅集合におけるページング帯域幅の数は、同じであっても異なっていてもよい。
【００１８】
１つの可能な実現形態において、同一のページング帯域幅集合のページング帯域幅が、同一の帯域幅部分ＢＷＰに属する。
【００１９】
ページングパラメータは、異なるページング帯域幅または異なる帯域幅集合に対して独立して構成されることにより、ネットワーク装置がページングメッセージを送信する際にある程度の柔軟性を有するようになる。
【００２０】
１つの実施例において、ネットワーク装置は、異なるページング帯域幅に対して異なるビームでページングメッセージを端末装置に送信し、異なるビームはＴＤＭで時分割送信されることができ、これによりリソースの利用率を向上できる。
【００２１】
１つの可能な実現形態において、該ページングパラメータが、残りの最小システム情報ＲＭＳＩまたは他のシステム情報ＯＳＩに搬送される。
【００２２】
第２の態様によれば、ネットワーク装置がページング対象の端末装置を決定するステップと、該ネットワーク装置が少なくとも１つのページング帯域幅でページングメッセージを該端末装置に送信し、該少なくとも１つのページング帯域幅の各々が端末装置の最小帯域幅能力の帯域幅の以下であるステップと、を含むページング方法を提供する。
【００２３】
１つの可能な実現形態において、該方法は、該ネットワーク装置が、ページングメッセージを搬送するための複数のページング帯域幅の配置情報を該端末装置に送信し、該複数のページング帯域幅の配置情報が、該端末装置が該少なくとも１つのページング帯域幅の周波数領域位置を決定するために用いられ、該複数のページング帯域幅の各々がいずれも該最小帯域幅能力の帯域幅の以下であるステップをさらに含む。
【００２４】
１つの可能な実現形態において、該複数のページング帯域幅の配置情報が、該複数のページング帯域幅の各々の周波数領域位置情報および／または該複数のページング帯域幅の各々の周波数領域オフセット情報を含む。
【００２５】
１つの可能な実現形態において、該複数のページング帯域幅の配置情報が、残りの最小システム情報ＲＭＳＩに搬送される。
【００２６】
１つの可能な実現形態において、該複数のページング帯域幅のうちの少なくとも２つのページング帯域幅の周波数領域位置が、完全に重ならない。
【００２７】
１つの可能な実現形態において、該複数のページング帯域幅が、ページングフレームおよび／またはページング機会を決定するためのページングパラメータの複数組に１対１に対応する複数のページング帯域幅集合に属する。
【００２８】
１つの可能な実現形態において、同一のページング帯域幅集合のページング帯域幅が、同一の帯域幅部分ＢＷＰに属する。
【００２９】
１つの可能な実現形態において、該ページングパラメータが、残りの最小システム情報ＲＭＳＩまたは他のシステム情報ＯＳＩに搬送される。
【００３０】
第３の態様によれば、上記第１の態様または第１の態様の任意の可能な実現形態における方法を実行するために用いられる端末装置を提供する。該端末装置は、上記第１の態様または第１の態様の任意の可能な実現形態における方法を実行するために用いられるユニットを含む。
【００３１】
第４の態様によれば、上記第２の態様または第２の態様の任意の可能な実現形態における方法を実行するために用いられるネットワーク装置を提供する。該ネットワーク装置は、上記第２の態様または第２の態様の任意の可能な実現形態における方法を実行するために用いられるユニットを含む。
【００３２】
第５の態様によれば、メモリと、プロセッサと、入力インタフェースと、出力インタフェースとを含む端末装置を提供する。メモリ、プロセッサ、入力インタフェースおよび出力インタフェースはバスシステムを介して接続される。該メモリは命令を記憶するために用いられ、該プロセッサは該メモリに記憶された命令を実行するために用いられ、上記第１の態様または第１の態様の任意の可能な実現形態における方法を実行するために用いられる。
【００３３】
第６の態様によれば、メモリと、プロセッサと、入力インタフェースと、出力インタフェースとを含むネットワーク装置を提供する。メモリ、プロセッサ、入力インタフェースおよび出力インタフェースはバスシステムを介して接続される。該メモリは命令を記憶するために用いられ、該プロセッサは該メモリに記憶された命令を実行するために用いられ、上記第２の態様または第２の態様の任意の可能な実現形態における方法を実行するために用いられる。
【００３４】
第７の態様によれば、上記第１の態様または第１の態様の任意の可能な実現形態における方法、または上記第２の態様または第２の態様の任意の可能な実現形態における方法を実行するために使用されるコンピュータソフトウェア命令を記憶するために用いられる、上記態様を実行するために設計されたプログラムを含むコンピュータ記憶媒体を提供する。
【００３５】
第８の態様によれば、コンピュータで実行されると、コンピュータに、上記第１の態様または第１の態様のいずれかの選択可能な実現形態における方法、または上記第２の態様または第２の態様のいずれかの選択可能な実現形態における方法を実行させる命令を含むコンピュータプログラム製品を提供する。
【００３６】
本開示のこれらの態様または他の態様は、以下の実施例の説明においてより容易に理解される。
【図面の簡単な説明】
【００３７】
【図１】本開示の実施例の１つの適用シーンを示す概略図である。
【図２】本開示の実施例のページング方法を示す概略ブロック図である。
【図３】本開示の実施例のページング方法を示す別の概略ブロック図である。
【図４】本開示の実施例の端末装置を示す概略ブロック図である。
【図５】本開示の実施例のネットワーク装置を示す概略ブロック図である。
【図６】本開示の実施例の端末装置を示す別の概略ブロック図である。
【図７】本開示の実施例のネットワーク装置を示す別の概略ブロック図である。
【発明を実施するための形態】
【００３８】
以下、本開示の実施例における図面を参照しながら、本開示の実施例における技術案を明瞭かつ完全に説明する。
【００３９】
本開示の実施例の技術案は、例えば、移動通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｖｅｄ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）または将来の５Ｇシステムなど、様々な通信システムに適用できることが理解される。
【００４０】
特に、本開示の実施例の技術案は、例えば、スパース符号多元接続（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システムなど、非直交多元接続技術に基づく様々な通信システムに適用でき、ＳＣＭＡシステムおよびＬＤＳシステムは、通信分野において他の名前と呼ばれることもあることは勿論である。さらに、本開示の実施例の技術案は、例えば、非直交多元接続技術を採用する直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルタバンクマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタ直交周波数分割多重（Ｆｉｌｔｅｒｅｄ−ＯＦＤＭ、Ｆ−ＯＦＤＭ）システムなど、非直交多元接続技術を採用するマルチキャリア伝送システムに適用できる。
【００４１】
本開示の実施例における端末装置は、ユーザー機器（Ｕｓｅｒ  Ｅｑｕｉｐｍｅｎｔ、ＵＥ）、アクセス端末、ユーザーユニット、加入者ステーション、移動局、モバイルステーション、遠隔局、遠隔端末、移動装置、ユーザー端末、端末、無線通信装置、ユーザーエージェントまたはユーザー装置であってもよい。アクセス端末は、携帯電話、無線電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、計算装置または無線モデムに接続された他の処理装置、車載装置、ウェアラブル装置、将来の５Ｇネットワークにおける端末装置または将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末装置などであってもよいが、本開示の実施例はこれらに限定されるものではない。
【００４２】
本開示の実施例におけるネットワーク装置は、端末装置と通信するための装置であってもよく、該ネットワーク装置は、ＧＳＭまたはＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける進化型基地局（Ｅｖｏｌｕｔｉｏｎａｌ  ＮｏｄｅＢ、ｅＮＢまたはｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンにおける無線コントローラであってもよく、または該ネットワーク装置は、中継局、アクセスポイント、車載装置、ウェアラブル装置、および将来の５Ｇネットワークにおけるネットワーク装置または将来の進化型ＰＬＭＮネットワークにおけるネットワーク装置などであってもよいが、本開示の実施例はこれらに限定されるものではない。
【００４３】
図１は、本開示の実施例の１つの適用シーンの概略図である。図１における通信システムは、端末装置１０と、ネットワーク装置２０とを含むことができる。ネットワーク装置２０は、端末装置１０に通信サービスを提供し、コアネットワークにアクセスするためのものであり、端末装置１０は、ネットワーク装置２０から送信された同期信号やブロードキャスト信号などを検索することによりネットワークにアクセスし、これにより、ネットワークとの通信を行う。図１に示される矢印は、端末装置１０とネットワーク装置２０との間のセルラーリンクを介した上り／下りの伝送を表すことができる。
【００４４】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）ＬＴＥシステムにおいて、ネットワークはアイドル（ｉｄｌｅ）状態のＵＥにページングを送信できる。ページングプロセスは、ｉｄｌｅ状態にあるＵＥにページング要求を送信するか、またはシステムに情報更新を通知するか、ＵＥに地震津波警報情報（Ｅａｒｔｈｑｕａｋｅ  ａｎｄ  Ｔｓｕｎａｍｉ  Ｗａｒｎｉｎｇ  Ｓｙｓｔｅｍ、ＥＴＷＳ）および商用移動警報サービス（Ｃｏｍｍｅｒｃｉａｌ  Ｍｏｂｉｌｅ  Ａｌｅｒｔ  Ｓｅｒｖｉｃｅ、ＣＭＡＳ）などの情報を受信することを通知するために、コアネットワークまたは基地局によってトリガされてもよい。基地局は、コアネットワークのページングメッセージを受信すると、その中の内容を解読し、該ＵＥのトラッキングエリア識別（Ｔｒａｃｋｉｎｇ  Ａｒｅａ  Ｉｄｅｎｔｉｔｙ、ＴＡＩ）リストを入手し、リスト中のトラッキングエリアに配下のセルでエアインターフェースのページングを行う。
【００４５】
システム帯域幅の中には、ページングメッセージを搬送するためのページング帯域幅が存在し、従来技術におけるページング帯域幅は、ページングされた端末装置の帯域幅能力よりも大きい可能性が高く、それにより、ページングされた端末装置は自身のページングメッセージを受信することができないようにする。
【００４６】
この場合には、本開示の実施例は、上記問題の発生を回避できるページング方法を提供する。
【００４７】
本明細書において、「システム」および「ネットワーク」という用語は、しばしば、本明細書において交換可能に使用されることが理解される。本明細書において用語「および／または」は、関連対象の関連関係を説明するだけであり、３つの関係が存在することを表し、例えば、Ａおよび／またはＢは、Ａが単独に存在し、ＡおよびＢが同時に存在し、Ｂが単独に存在するという３種類を表す。また、本明細書において符号「／」は、一般的に前後の関連対象が「または」関係であることを示す。
【００４８】
図２は、本開示の実施例のページング方法１００を示す概略ブロック図である。図２に示すように、該方法１００は、以下の部分または全体を含む。
Ｓ１１０において、端末装置が該端末装置のページングメッセージを搬送するための少なくとも１つのページング帯域幅を決定し、該少なくとも１つのページング帯域幅の各々が端末装置の最小帯域幅能力の帯域幅の以下である。
Ｓ１２０において、該端末装置が該少なくとも１つのページング帯域幅で該ページングメッセージを受信する。
【００４９】
ネットワーク装置は、システム帯域幅内に複数のページング帯域幅を配置でき、各ページング帯域幅は、端末装置の最小帯域幅能力の帯域幅、例えば、１０ＭＨｚ以下であり得る。これにより、自装置の帯域幅能力がページング帯域幅よりも小さいため、一部の端末装置がページングメッセージを受信できないことが発生することを回避できる。ネットワーク装置は、ページングメッセージ送信の輻輳を低減するために、端末装置毎に１つのページング帯域幅を配置してもよく、端末装置毎に複数のページング帯域幅を配置してもよい。ネットワーク装置は、ページング帯域幅を周期的に配置でき、さらに柔軟性を向上できる。例えば、ネットワーク装置は、ある時刻に、自身がカバーするセル内の全ての端末装置の帯域幅能力を事前に決定し、ネットワーク装置がカバーするセル内の全ての端末装置がページングメッセージを受信することを可能にするために、各ページング帯域幅がいずれもその最小帯域幅能力の帯域幅よりも大きくないように、システム帯域幅内のページング帯域幅を、その最小帯域幅能力に従って配置してもよい。ネットワーク装置は、少なくとも１つのページング帯域幅でページングメッセージを端末装置に送信でき、端末装置は、まず、自身に属するページング帯域幅を決定し、次いで、自身に属するページング帯域幅で自身のページングメッセージを受信することができる。
【００５０】
したがって、本開示の実施例のページング方法は、ページング帯域幅を配置する際に、端末装置の最小帯域幅能力の帯域幅を考慮することにより、帯域幅能力不足によるページングメッセージの受信ができなくなるという端末装置の問題を回避することができる。
【００５１】
まず、ページング帯域幅について説明すると、ページング帯域幅とは、ページングメッセージを搬送するために定義されるが、該ページング帯域幅で、例えば、同期情報などの他の情報を搬送することを排除するものではない。本開示の実施例におけるページング帯域幅は周波数領域上で定義され、異なるページング帯域幅は周波数領域上で全く重なっていなくてもよく、部分的に重なっていてもよく、時間領域上で限定されず、つまり、ページング帯域幅は時間領域上で完全に重なっていてもよい。例えば、システム帯域幅は４０ＭＨｚであり、同一シンボル上の最高１０ＭＨｚおよび最低１０ＭＨｚのリソースを２つのページング帯域幅とすることができる。
【００５２】
本開示の実施例では、該方法は、該端末装置がページングメッセージを搬送するための複数のページング帯域幅を決定し、該複数のページング帯域幅の各々がいずれも該最小帯域幅能力の帯域幅の以下であるステップをさらに含み、該端末装置が該端末装置のページングメッセージを搬送するための少なくとも１つのページング帯域幅を決定することは、該端末装置が該複数のページング帯域幅の中から該少なくとも１つのページング帯域幅を決定することを含む。
【００５３】
端末装置は、ネットワーク装置がシステム帯域幅内に配置した複数のページング帯域幅を決定し、さらに、端末装置は、複数のページング帯域幅の中から自身に属する少なくとも１つのページング帯域幅を決定し得る。例えば、端末装置は、自身に属する少なくとも１つのページング帯域幅の識別子を予め決定し、端末装置が複数のページング帯域幅の周波数領域位置を事前に知っている場合には、端末装置は、自身に属する少なくとも１つのページング帯域幅の周波数領域位置を知ることができる。システム帯域幅内の複数のページング帯域幅は、ネットワーク装置により事前に配置されてもよく、または、例えば、端末装置内に予め設定され得るプロトコルによって合意されてもよいことが理解される。一方、端末装置は、システム帯域幅内の全てのページング帯域幅を結合することなく、自身に属する少なくとも１つのページング帯域幅を取得することができる。例えば、取得したページング指示情報が当該少なくとも１つのページング帯域幅を直接的に指示し、この場合には、端末装置は、ページング指示情報に応じて、自身に属する少なくとも１つのページング帯域幅を直接的に決定することができる。
【００５４】
ＮＲでは、４００ＭＨｚまでの広い帯域幅（ｗｉｄｅｂａｎｄ）のキャリアがサポートされる。ネットワーク側では、広い帯域幅のキャリアをサポートすることに問題はないが、ＵＥに対しては、コスト、電力などに制限され、サポートされる最大帯域幅はＵＥの能力によって制限される。したがって、１つの広い帯域幅のキャリアに対して、１つまたは複数の帯域幅部分（ｂａｎｄｗｉｄｔｈ  ｐａｒｔ、ＢＷＰ）を配置し、各ＢＷＰは、１組の連続するＰＲＢを含み得る。１つのＵＥに対して、１つのサービングセルでは、最大１つのアクティブ（ａｃｔｉｖｅ）な下り（Ｄｏｗｎｌｉｎｋ、ＤＬ）ＢＷＰと最大１つのａｃｔｉｖｅな上り（Ｕｐｌｉｎｋ、ＵＬ）ＢＷＰの同時存在が許可される。かつ、ＵＥに対してＢＷＰが配置される前に、最初のａｃｔｉｖｅ  ＤＬ／ＵＬ  ＢＷＰが存在し、無線リソース制御（Ｒａｄｉｏ  Ｒｅｓｏｕｒｃｅ  Ｃｏｎｔｒｏｌ、ＲＲＣ）接続確立過程中または確立後に、ＵＥのためにａｃｔｉｖｅ  ＤＬ／ＵＬ  ＢＷＰを配置できる。
【００５５】
システム帯域幅内に定義された複数のページング帯域幅を複数の異なるＢＷＰに分散させることにより、ページングの負荷を異なるＢＷＰで平均化することができ、複数のページング帯域幅の中で一部のページング帯域幅も同一のＢＷＰにあり得、例えば、複数のページング帯域幅は、同一のＢＷＰ中間周波数領域で部分的に重なっていてもよく、または全く重なっていなくてもよい。
【００５６】
本開示の実施例では、該方法は、該端末装置が該ネットワーク装置から送信された該複数のページング帯域幅の配置情報を受信するステップをさらに含み、該端末装置が該複数のページング帯域幅の中から該少なくとも１つのページング帯域幅を決定することは、該端末装置が該端末装置の識別子および該複数のページング帯域幅の配置情報に基づいて、該少なくとも１つのページング帯域幅の各々の周波数領域位置を決定することを含む。
【００５７】
端末装置は、自身の識別子（ｉｄｅｎｔｉｔｙ、ＩＤ）に基づいて、自身に属する少なくとも１つのページング帯域幅が位置する周波数領域位置を決定できる。例えば、ＵＥ＿ＩＤ＝（国際移動加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）ｍｏｄ  １０２４）、ページング帯域幅のインデックス＝ＵＥ＿ＩＤ  ｍｏｄ  Ｎであり、ここで、Ｎはシステム帯域幅における全てのページング帯域幅の数である。ネットワーク装置は、システム帯域幅内の複数のページング帯域幅の配置情報を端末装置に指示でき、端末装置は、全てのページング帯域幅が位置する周波数領域位置を知ることができ、さらに、端末装置は、決定された自身に属するページング帯域幅のインデックスに基づいて、自身に属するページング帯域幅が位置する周波数領域位置を決定することができる。
【００５８】
本開示の実施例では、該複数のページング帯域幅の配置情報が、該複数のページング帯域幅の各々の周波数領域位置情報および／または該複数のページング帯域幅の各々の周波数領域オフセット情報を含む。
【００５９】
ネットワーク装置は、複数のページング帯域幅の各々の周波数領域位置を端末装置に直接的に指示してもよく、周波数領域オフセットなどによって間接的に指示してもよい。例えば、ネットワーク装置は、同期信号ブロック（Ｓｙｎｃｈｒｏｎｉｚａｔｉｏｎ  Ｓｉｇｎａｌ  Ｂｌｏｃｋ、ＳＳＢ）の周波数領域位置に対するページング帯域幅のオフセット、またはブロードキャスト信号の周波数領域位置に対するページング帯域幅のオフセットなどによって指示してもよい。ネットワーク装置は、システム帯域幅の中心周波数ポイントの周波数領域位置に対するオフセットによって指示してもよく、ネットワーク装置は、あるＢＷＰの周波数領域位置によって指示してもよい。例えば、各ＢＷＰの配置情報を端末装置にネットワーク装置が事前に通知し、ページング帯域幅の数がネットワークにより配置されたＢＷＰの数と同数であり、つまり、各ＢＷＰにいずれも１つのページング帯域幅が配置されていることを端末装置にネットワーク装置が通知し、各ページング帯域幅がその所在するＢＷＰの中央１０ＭＨｚを占有していることを端末装置が事前に知るようにしてもよい。端末装置は、各ＢＷＰの配置情報を知ると、各ページング帯域幅の占有している周波数領域位置を知ることができる。
【００６０】
本開示の実施例では、該複数のページング帯域幅の配置情報が、残りの最小システム情報ＲＭＳＩに搬送される。
【００６１】
ページング帯域幅がネットワーク装置により配置される場合、ネットワーク装置は、該複数のページング帯域幅の配置情報を、システムメッセージによって端末装置に通知し得る。例えば、該システムメッセージは、残りの最小システム情報（Ｒｅｍａｉｎｉｎｇ  ｍｉｎｉｍｕｍ  ｓｙｓｔｅｍ  ｉｎｆｏｒｍａｔｉｏｎ、ＲＭＳＩ）または他のシステム情報（ｏｔｈｅｒ  ｓｙｓｔｅｍ  ｉｎｆｏｒｍａｔｉｏｎ、ＯＳＩ）のいずれかであり得る。
【００６２】
本開示の実施例では、該複数のページング帯域幅が、ページングフレームおよび／またはページング機会を決定するためのページングパラメータの複数組に１対１に対応する複数のページング帯域幅集合に属する。
【００６３】
端末装置が自身に属するページング帯域幅を取得した後、端末装置は、自身に属するページングパラメータを知る必要があり、例えば、端末装置は、自身に属するページング機会（ｐａｇｉｎｇ  ｏｃｃａｓｉｏｎ、ＰＯ）を知る必要があり、このようにして、端末装置は、該当する時点でページングメッセージを受信できる。当業者であれば、基地局がコアネットワークのページングメッセージを受信した後、ＰＯが同一であるＵＥのページングメッセージを１つのページングメッセージにまとめ、ページングチャネルを介して関連するＵＥに送信できることが理解される。ＵＥは、ページングパラメータをシステムメッセージで受信し、ＰＯを自身のＩＭＳＩと共に計算し、ページングメッセージを該当する時点で受信する。ページングメッセージは、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）によって搬送され、ＵＥは、ページング無線ネットワーク一時的識別子（Ｐａｇｉｎｇ−Ｒａｄｉｏ  Ｎｅｔｗｏｒｋ  Ｔｅｍｐｏｒａｒｙ  Ｉｄｅｎｔｉｔｙ、Ｐ−ＲＮＴＩ）によってスクランブルされた物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を検出することによってページング指示情報を取得し、これによりページングメッセージを受信する。Ｉｄｌｅ状態のＵＥは、不連続受信（Ｄｉｓｃｏｎｔｉｎｕｏｕｓ  Ｒｅｃｅｐｔｉｏｎ、ＤＲＸ）で電力を節約し、ＵＥは、システムメッセージからＤＲＸ関連情報を取得する。１つのＤＲＸサイクル中のページングフレーム（ｐａｇｉｎｇ  ｆｒａｍｅ、ＰＦ）上のＰＯは、Ｐ−ＲＮＴＩによってスクランブルされたＰＤＣＣＨをリッスンしてページングメッセージを受信する。ＰＦはページングメッセージがどのシステムフレーム番号に出現すべきかを示し、ＰＯは出現し得るサブフレーム時刻を示す。
【００６４】
ページングパラメータは、異なるページング帯域幅に対して独立して構成されてもよく、複数のページング帯域幅は、複数のページング帯域幅集合に分割されてもよく、１組のページングパラメータは、各ページング帯域幅集合内のページング帯域幅に対して独立して構成されてもよく、つまり、異なるページング帯域幅集合に対応するページングパラメータは、独立して構成され得るが、同一のページング帯域幅集合におけるページング帯域幅のページングパラメータは、共通に構成される。
【００６５】
各ページング帯域幅集合におけるページング帯域幅の数は、同じであっても異なっていてもよく、例えば、第１のページング帯域幅集合は、１つのページング帯域幅を含み、第２のページング帯域幅集合は、２つのページング帯域幅を含む。同一のＢＷＰに属するページング帯域幅を同一のページング帯域幅集合に分割してもよい。
【００６６】
ページングパラメータは、異なるページング帯域幅または異なる帯域幅集合に対して独立して構成されることにより、ネットワーク装置がページングメッセージを送信する際にある程度の柔軟性を有するようになる。
【００６７】
ネットワーク装置は、異なるページング帯域幅に対して異なるビームでページングメッセージを端末装置に送信してもよく、異なるビームは時分割多重化（Ｔｉｍｅ−Ｄｉｖｉｓｉｏｎ  Ｍｕｌｔｉｐｌｅｘｉｎｇ、ＴＤＭ）で時分割送信することができ、これによりリソースの利用率を向上できる。
【００６８】
本開示の実施例では、該ページングパラメータが、残りの最小システム情報ＲＭＳＩまたは他のシステム情報ＯＳＩに搬送される。
【００６９】
上記説明から分かるように、ネットワーク装置は、ページング帯域幅のページングパラメータを、システムメッセージを通じて通知し得る。例えば、該システムメッセージは、ＲＭＳＩまたはＯＳＩのいずれかであり得る。
【００７０】
図３は、本開示の実施例のページング方法２００を示す概略ブロック図である。図３に示すように、該方法２００は、以下の部分または全体を含む。
Ｓ２１０において、ネットワーク装置がページング対象の端末装置を決定する。
Ｓ２２０において、該ネットワーク装置が少なくとも１つのページング帯域幅でページングメッセージを該端末装置に送信し、該少なくとも１つのページング帯域幅の各々が端末装置の最小帯域幅能力の帯域幅の以下である。
【００７１】
したがって、本開示の実施例のページング方法は、ページング帯域幅を配置する際に、端末装置の最小帯域幅能力の帯域幅を考慮することにより、帯域幅能力不足によるページングメッセージの受信ができなくなるという端末装置の問題を回避することができる。
【００７２】
本開示の実施例では、該方法は、該ネットワーク装置が、ページングメッセージを搬送するための複数のページング帯域幅の配置情報を該端末装置に送信し、該複数のページング帯域幅の配置情報が、該端末装置が該少なくとも１つのページング帯域幅の周波数領域位置を決定するために用いられ、該複数のページング帯域幅の各々がいずれも該最小帯域幅能力の帯域幅の以下であるステップをさらに含む。
【００７３】
本開示の実施例では、該複数のページング帯域幅の配置情報が、該複数のページング帯域幅の各々の周波数領域位置情報および／または該複数のページング帯域幅の各々の周波数領域オフセット情報を含む。
【００７４】
本開示の実施例では、該複数のページング帯域幅の配置情報が、残りの最小システム情報ＲＭＳＩに搬送される。
【００７５】
本開示の実施例では、該複数のページング帯域幅のうちの少なくとも２つのページング帯域幅の周波数領域位置が、完全に重ならない。
【００７６】
本開示の実施例では、該複数のページング帯域幅が、ページングフレームおよび／またはページング機会を決定するためのページングパラメータの複数組に１対１に対応する複数のページング帯域幅集合に属する。
【００７７】
本開示の実施例では、同一のページング帯域幅集合のページング帯域幅が、同一の帯域幅部分ＢＷＰに属する。
【００７８】
本開示の実施例では、該ページングパラメータが、残りの最小システム情報ＲＭＳＩまたは他のシステム情報ＯＳＩに搬送される。
【００７９】
ネットワーク装置によって記述されるネットワーク装置と端末装置との間の相互作用および関連する特性、機能などは、端末装置の関連する特性、機能に対応すると理解すべきである。なお、関連する内容は、上記方法１００において詳細に説明されているので、簡潔のために、ここでは説明しない。
【００８０】
また、本開示の各実施例では、上記各プロセスの番号は実行順序の先後を意味するものではなく、各プロセスの実行順序はその機能および内部論理で決定され、本開示の実施例の実施過程を何ら限定するものではないと理解すべきである。
【００８１】
以上、本開示の実施例によるページング方法について詳細に説明したが、以下に、本開示の実施例によるページング装置について、図４〜図７を参照して説明し、方法の実施例に記載された技術的特徴は、以下の装置の実施例に適用される。
【００８２】
図４は、本開示の実施例の端末装置３００を示す概略ブロック図である。図４に示すように、該端末装置３００は、
該端末装置のページングメッセージを搬送するための少なくとも１つのページング帯域幅を決定するために用いられ、該少なくとも１つのページング帯域幅の各々が端末装置の最小帯域幅能力の帯域幅の以下である第１の決定ユニット３１０と、
該少なくとも１つのページング帯域幅で該ページングメッセージを受信するために用いられる第１の受信ユニット３２０と、を含む。
【００８３】
したがって、本開示の実施例の端末装置は、ページング帯域幅を配置する際に、端末装置の最小帯域幅能力の帯域幅を考慮することにより、帯域幅能力不足によるページングメッセージの受信ができなくなるという端末装置の問題を回避することができる。
【００８４】
本開示の実施例では、該端末装置は、ページングメッセージを搬送するための複数のページング帯域幅を決定するために用いられ、該複数のページング帯域幅の各々がいずれも該最小帯域幅能力の帯域幅の以下である第２の決定ユニットをさらに含み、該第１の決定ユニットは、該複数のページング帯域幅の中から該少なくとも１つのページング帯域幅を決定するために用いられる。
【００８５】
本開示の実施例では、該端末装置は、該ネットワーク装置から送信された該複数のページング帯域幅の配置情報を受信するために用いられる第２の受信ユニットをさらに含み、該第１の決定ユニットは、該端末装置の識別子および該複数のページング帯域幅の配置情報に基づいて、該少なくとも１つのページング帯域幅の各々の周波数領域位置を決定するために用いられる。
【００８６】
本開示の実施例では、該複数のページング帯域幅の配置情報が、該複数のページング帯域幅の各々の周波数領域位置情報および／または該複数のページング帯域幅の各々の周波数領域オフセット情報を含む。
【００８７】
本開示の実施例では、該複数のページング帯域幅の配置情報が、残りの最小システム情報ＲＭＳＩに搬送される。
【００８８】
本開示の実施例では、該複数のページング帯域幅のうちの少なくとも２つのページング帯域幅の周波数領域位置が、完全に重ならない。
【００８９】
本開示の実施例では、該複数のページング帯域幅が、ページングフレームおよび／またはページング機会を決定するためのページングパラメータの複数組に１対１に対応する複数のページング帯域幅集合に属する。
【００９０】
本開示の実施例では、同一のページング帯域幅集合のページング帯域幅が、同一の帯域幅部分ＢＷＰに属する。
【００９１】
本開示の実施例では、該ページングパラメータが、残りの最小システム情報ＲＭＳＩまたは他のシステム情報ＯＳＩに搬送される。
【００９２】
本開示の実施例による端末装置３００は、本開示の方法の実施例における端末装置に対応することができ、かつ端末装置３００における各ユニットの上記および他の操作および／または機能は、図２の方法における端末装置の対応するフローをそれぞれ実現するためのものであり、簡潔のために、ここでは説明しないと理解すべきである。
【００９３】
図５は、本開示の実施例のネットワーク装置４００を示す概略ブロック図である。図５に示すように、該ネットワーク装置４００は、
ページング対象の端末装置を決定するために用いられる決定ユニット４１０と、
少なくとも１つのページング帯域幅でページングメッセージを該端末装置に送信するために用いられ、該少なくとも１つのページング帯域幅の各々が端末装置の最小帯域幅能力の帯域幅の以下である第１の送信ユニット４２０と、を含む。
【００９４】
したがって、本開示の実施例のネットワーク装置は、ページング帯域幅を配置する際に、端末装置の最小帯域幅能力の帯域幅を考慮することにより、帯域幅能力不足によるページングメッセージの受信ができなくなるという端末装置の問題を回避することができる。
【００９５】
本開示の実施例では、該ネットワーク装置は、ページングメッセージを搬送するための複数のページング帯域幅の配置情報を該端末装置に送信するために用いられ、該複数のページング帯域幅の配置情報が、該端末装置が該少なくとも１つのページング帯域幅の周波数領域位置を決定するために用いられ、該複数のページング帯域幅の各々が該最小帯域幅能力の帯域幅の以下である第２の送信ユニットをさらに含む。
【００９６】
本開示の実施例では、該複数のページング帯域幅の配置情報が、該複数のページング帯域幅の各々の周波数領域位置情報および／または該複数のページング帯域幅の各々の周波数領域オフセット情報を含む。
【００９７】
本開示の実施例では、該複数のページング帯域幅の配置情報が、残りの最小システム情報ＲＭＳＩに搬送される。
【００９８】
本開示の実施例では、該複数のページング帯域幅のうちの少なくとも２つのページング帯域幅の周波数領域位置が、完全に重ならない。
【００９９】
本開示の実施例では、該複数のページング帯域幅が、ページングフレームおよび／またはページング機会を決定するためのページングパラメータの複数組に１対１に対応する複数のページング帯域幅集合に属する。
【０１００】
本開示の実施例では、同一のページング帯域幅集合のページング帯域幅が、同一の帯域幅部分ＢＷＰに属する。
【０１０１】
本開示の実施例では、該ページングパラメータが、残りの最小システム情報ＲＭＳＩまたは他のシステム情報ＯＳＩに搬送される。
【０１０２】
本開示の実施例によるネットワーク装置４００は、本開示の方法の実施例におけるネットワーク装置に対応することができ、かつネットワーク装置４００における各ユニットの上記および他の操作および／または機能は、図３の方法におけるネットワーク装置の対応するフローをそれぞれ実現するためのものであり、簡潔のために、ここでは説明しないと理解すべきである。
【０１０３】
図６に示すように、本開示の実施例は、図２の方法１００に対応する端末装置の内容を実行するために使用され得る、図４の端末装置３００であり得る端末装置５００をさらに提供する。該端末装置５００は、入力インタフェース５１０と、出力インタフェース５２０と、プロセッサ５３０と、メモリ５４０とを含み、該入力インタフェース５１０、出力インタフェース５２０、プロセッサ５３０およびメモリ５４０はバスシステムを介して接続されてもよい。該メモリ５４０は、プログラム、命令またはコードを記憶するために用いられる。該プロセッサ５３０は、入力インタフェース５１０を制御して信号を受信させ、出力インタフェース５２０を制御して信号を送信させ、および前述の方法の実施例における操作を完了するように、該メモリ５４０内のプログラム、命令またはコードを実行するために用いられる。
【０１０４】
したがって、本開示の実施例の端末装置は、ページング帯域幅を配置する際に、端末装置の最小帯域幅能力の帯域幅を考慮することにより、帯域幅能力不足によるページングメッセージの受信ができなくなるという端末装置の問題を回避することができる。
【０１０５】
本開示の実施例では、該プロセッサ５３０は、中央処理ユニット（Ｃｅｎｔｒａｌ  Ｐｒｏｃｅｓｓｉｎｇ  Ｕｎｉｔ、ＣＰＵ）であってもよく、該プロセッサ５３０は、他の汎用プロセッサ、デジタル信号プロセッサ、特定用途向け集積回路、現場でプログラム可能なゲートアレイまたは他のプログラム可能な論理デバイス、ディスクリートゲートまたはトランジスタ論理デバイス、ディスクリートハードウェアコンポーネントなどであってもよいことが理解されるべきである。汎用プロセッサはマイクロプロセッサであってもよく、または該プロセッサは任意の従来のプロセッサなどであってもよい。
【０１０６】
該メモリ５４０は、読み出し専用メモリおよびランダムアクセスメモリを含むことができ、プロセッサ５３０に命令およびデータを提供する。メモリ５４０の一部は、不揮発性ランダムアクセスメモリも含み得る。例えば、メモリ５４０は、デバイスタイプの情報をさらに記憶することができる。
【０１０７】
実現過程において、上記方法の各ステップはプロセッサ５３０におけるハードウェアの集積論理回路またはソフトウェア形式の命令により完了することができる。本開示の実施例に開示された方法を組み合わせるステップは、ハードウェアプロセッサの実行、またはプロセッサにおけるハードウェアおよびソフトウェアモジュールの組み合わせにより直接完了する。ソフトウェアモジュールはランダムメモリ、フラッシュメモリ、読み出し専用メモリ、プログラマブル読み出し専用メモリまたは電気的に消去可能なプログラマブルメモリ、レジスタなどの当該技術分野の成熟した記憶媒体に位置することができる。該記憶媒体はメモリ５４０に位置し、プロセッサ５３０はメモリ５４０における情報を読み取り、そのハードウェアと組み合わせて上記方法のステップを完了する。重複を避けるため、ここでは詳細に説明しない。
【０１０８】
一実施形態では、端末装置３００における第１の受信ユニットおよび第２の受信ユニットは、図６における入力インタフェース５１０によって実現され、端末装置３００における第１の決定ユニットおよび第２の決定ユニットは、図６におけるプロセッサ５３０によって実現される。
【０１０９】
図７に示すように、本開示の実施例は、図３の方法２００に対応するネットワーク装置の内容を実行するために使用され得る、図５のネットワーク装置４００であり得るネットワーク装置６００をさらに提供する。該ネットワーク装置６００は、入力インタフェース６１０と、出力インタフェース６２０と、プロセッサ６３０と、メモリ６４０とを含み、該入力インタフェース６１０、出力インタフェース６２０、プロセッサ６３０およびメモリ６４０はバスシステムを介して接続されてもよい。該メモリ６４０は、プログラム、命令またはコードを記憶するために用いられる。該プロセッサ６３０は、入力インタフェース６１０を制御して信号を受信させ、出力インタフェース６２０を制御して信号を送信させ、および前述の方法の実施例における操作を完了するように、該メモリ６４０内のプログラム、命令またはコードを実行するために用いられる。
【０１１０】
したがって、本開示の実施例のネットワーク装置は、ページング帯域幅を配置する際に、端末装置の最小帯域幅能力の帯域幅を考慮することにより、帯域幅能力不足によるページングメッセージの受信ができなくなるという端末装置の問題を回避することができる。
【０１１１】
本開示の実施例では、該プロセッサ６３０は、中央処理ユニット（Ｃｅｎｔｒａｌ  Ｐｒｏｃｅｓｓｉｎｇ  Ｕｎｉｔ、ＣＰＵ）であってもよく、該プロセッサ６３０は、他の汎用プロセッサ、デジタル信号プロセッサ、特定用途向け集積回路、現場でプログラム可能なゲートアレイまたは他のプログラム可能な論理デバイス、ディスクリートゲートまたはトランジスタ論理デバイス、ディスクリートハードウェアコンポーネントなどであってもよいことが理解されるべきである。汎用プロセッサはマイクロプロセッサであってもよく、または該プロセッサは任意の従来のプロセッサなどであってもよい。
【０１１２】
該メモリ６４０は、読み出し専用メモリおよびランダムアクセスメモリを含むことができ、プロセッサ６３０に命令およびデータを提供する。メモリ６４０の一部は、不揮発性ランダムアクセスメモリも含み得る。例えば、メモリ６４０は、デバイスタイプの情報をさらに記憶することができる。
【０１１３】
実現過程において、上記方法の各ステップはプロセッサ６３０におけるハードウェアの集積論理回路またはソフトウェア形式の命令により完了することができる。本開示の実施例に開示された方法を組み合わせるステップは、ハードウェアプロセッサの実行、またはプロセッサにおけるハードウェアおよびソフトウェアモジュールの組み合わせにより直接完了する。ソフトウェアモジュールはランダムメモリ、フラッシュメモリ、読み出し専用メモリ、プログラマブル読み出し専用メモリまたは電気的に消去可能なプログラマブルメモリ、レジスタなどの当該技術分野の成熟した記憶媒体に位置することができる。該記憶媒体はメモリ６４０に位置し、プロセッサ６３０はメモリ６４０における情報を読み取り、そのハードウェアと組み合わせて上記方法のステップを完了する。重複を避けるため、ここでは詳細に説明しない。
【０１１４】
一実施形態では、ネットワーク装置４００における第１の送信ユニットおよび第２の送信ユニットは、図７における出力インタフェース６２０によって実現される。ネットワーク装置４００における決定ユニットは、図７におけるプロセッサ６３０によって実現される。
【０１１５】
当業者が分かるように、本明細書に開示された実施例を参照しながら説明した各例のユニットおよびアルゴリズムステップが、電子ハードウェア、またはコンピュータソフトウェアおよび電子ハードウェアの組み合わせで実現されることができる。これらの機能がハードウェアまたはソフトウェアで実行されるかは、技術案のアプリケーションおよび設計制約条件に依存する。当業者は各特定のアプリケーションに対して異なる方法を用いて説明された機能を実現することができるが、このような実現は本開示の範囲を超えると考えられるべきではない。
【０１１６】
当業者に自明なように、説明の利便さおよび簡素化から、上記説明されたシステム、装置およびユニットの作動過程については、前述の方法の実施例における対応過程を参照すればよいため、ここで詳細な説明を省略する。
【０１１７】
本開示によるいくつかの実施例では、開示されたシステム、装置および方法は、他の形態により実現することもできると理解すべきである。例えば、以上に説明された装置の実施例は例示的なものにすぎない。例えば、該ユニットの分割は、論理機能上の分割であり、実際に実施する際に別の形態で分割することもでき、例えば、複数のユニットまたはコンポーネントを別のシステムに組み合わせもしくは集積させたり、または一部の特徴を反映させず、実行しなかったりしてもよい。また、説明または検討した相互の結合または直接的な結合または通信接続は、いくつかのインタフェース、装置またはユニットを用いる間接的結合または通信接続であってもよいし、電気的形態、機械的形態またはその他の形態であってもよい。
【０１１８】
該分離部材として説明されるユニットは、物理的に分離されるものでもよければ、分離されないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。実際の必要に応じて、一部のユニットだけを用いるか、または全てのユニットを使用して本実施例の態様の目的を達成することができる。
【０１１９】
また、本開示の各実施例において、各機能ユニットが１つの処理ユニットに集積されてもよいが、各ユニットが単独で物理的な部材として存在するか、または２つ以上のユニットが１つのユニットに集積されてもよい。
【０１２０】
該機能がソフトウェア機能ユニットの形態で実現され、かつ独立した製品として販売または使用される場合、コンピュータ可読記憶媒体に記憶されてもよい。このような知見に基づいて、本開示の技術案は、本質的に、または従来技術に寄与する部分または該技術案の部分がソフトウェア製品の形態で表現することができ、該コンピュータソフトウェア製品は、記憶媒体に記憶されており、１台のコンピュータ機器（パソコン、サーバ、またはネットワーク装置など）に本開示の各実施例に記載の方法の全部または一部のステップを実行させるのに用いる若干の命令を含む。前述の記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなどのプロクラムコードを記憶可能な種々の媒体を含む。
【０１２１】
本明細書に記載される内容は、本開示の実施形態にすぎず、本開示の保護範囲はこれに限定されない。当業者が本開示に開示された技術的範囲内で容易に想到し得る変更や置換は、いずれも本開示の保護範囲内に含まれる。したがって、本開示の保護範囲は、特許請求の範囲に記載の内容に準拠する。
【手続補正２】
【補正対象書類名】特許請求の範囲
【補正対象項目名】全文
【補正方法】変更
【補正の内容】
【特許請求の範囲】
【請求項１】
ページング方法であって、
端末装置が前記端末装置のページングメッセージを搬送するための少なくとも１つのページング帯域幅を決定することであって、前記少なくとも１つのページング帯域幅の各々が端末装置の最小帯域幅能力の帯域幅の以下である、決定するステップと、
前記端末装置が前記少なくとも１つのページング帯域幅で前記ページングメッセージを受信するステップと、を含む、
ことを特徴とするページング方法。
【請求項２】
前記端末装置がページングメッセージを搬送するための複数のページング帯域幅を決定し、前記複数のページング帯域幅の各々がいずれも前記最小帯域幅能力の帯域幅の以下であるステップをさらに含み、
前記端末装置が前記端末装置のページングメッセージを搬送するための少なくとも１つのページング帯域幅を決定することは、
前記端末装置が前記複数のページング帯域幅の中から前記少なくとも１つのページング帯域幅を決定することを含む、
ことを特徴とする請求項１に記載の方法。
【請求項３】
前記端末装置が前記ネットワーク装置から送信された前記複数のページング帯域幅の配置情報を受信するステップをさらに含み、
前記端末装置が前記複数のページング帯域幅の中から前記少なくとも１つのページング帯域幅を決定することは、
前記端末装置が前記端末装置の識別子および前記複数のページング帯域幅の配置情報に基づいて、前記少なくとも１つのページング帯域幅の各々の周波数領域位置を決定することを含み、
前記複数のページング帯域幅の配置情報が、前記複数のページング帯域幅の各々の周波数領域位置情報および／または前記複数のページング帯域幅の各々の周波数領域オフセット情報を含み、
前記複数のページング帯域幅の配置情報が、残りの最小システム情報ＲＭＳＩに搬送される、
ことを特徴とする請求項２に記載の方法。
【請求項４】
前記複数のページング帯域幅のうちの少なくとも２つのページング帯域幅の周波数領域位置が、完全に重ならない、
ことを特徴とする請求項２又は３に記載の方法。
【請求項５】
前記複数のページング帯域幅が、ページングフレームおよび／またはページング機会を決定するためのページングパラメータの複数組に１対１に対応する複数のページング帯域幅集合に属し、
同一のページング帯域幅集合のページング帯域幅が、同一の帯域幅部分ＢＷＰに属し、
前記ページングパラメータが、残りの最小システム情報ＲＭＳＩまたは他のシステム情報ＯＳＩに搬送される、
ことを特徴とする請求項２〜４のいずれか一項に記載の方法。
【請求項６】
端末装置であって、
前記端末装置のページングメッセージを搬送するための少なくとも１つのページング帯域幅を決定するための第１の決定ユニットであって、前記少なくとも１つのページング帯域幅の各々が端末装置の最小帯域幅能力の帯域幅の以下である第１の決定ユニットと、
前記少なくとも１つのページング帯域幅で前記ページングメッセージを受信するための第１の受信ユニットと、を含む、
ことを特徴とする端末装置。
【請求項７】
ページングメッセージを搬送するための複数のページング帯域幅を決定するための第２の決定ユニットであって、前記複数のページング帯域幅の各々が前記最小帯域幅能力の帯域幅の以下である第２の決定ユニットをさらに含み、
前記第１の決定ユニットは、
前記複数のページング帯域幅の中から前記少なくとも１つのページング帯域幅を決定するために用いられる、
ことを特徴とする請求項６に記載の端末装置。
【請求項８】
前記ネットワーク装置から送信された前記複数のページング帯域幅の配置情報を受信するための第２の受信ユニットをさらに含み、
前記第１の決定ユニットは、
前記端末装置の識別子および前記複数のページング帯域幅の配置情報に基づいて、前記少なくとも１つのページング帯域幅の各々の周波数領域位置を決定するために用いられ、
前記複数のページング帯域幅の配置情報が、前記複数のページング帯域幅の各々の周波数領域位置情報および／または前記複数のページング帯域幅の各々の周波数領域オフセット情報を含み、
前記複数のページング帯域幅の配置情報が、残りの最小システム情報ＲＭＳＩに搬送される、
ことを特徴とする請求項７に記載の端末装置。
【請求項９】
前記複数のページング帯域幅のうちの少なくとも２つのページング帯域幅の周波数領域位置が、完全に重ならない、
ことを特徴とする請求項７又は８に記載の端末装置。
【請求項１０】
前記複数のページング帯域幅が、ページングフレームおよび／またはページング機会を決定するためのページングパラメータの複数組に１対１に対応する複数のページング帯域幅集合に属し、
同一のページング帯域幅集合のページング帯域幅が、同一の帯域幅部分ＢＷＰに属し、
前記ページングパラメータが、残りの最小システム情報ＲＭＳＩまたは他のシステム情報ＯＳＩに搬送される、
ことを特徴とする請求項７〜９のいずれか一項に記載の端末装置。
【請求項１１】
ネットワーク装置であって、
ページング対象の端末装置を決定するための決定ユニットと、
少なくとも１つのページング帯域幅でページングメッセージを前記端末装置に送信するための第１の送信ユニットであって、前記少なくとも１つのページング帯域幅の各々が端末装置の最小帯域幅能力の帯域幅の以下である第１の送信ユニットと、を含む、
ことを特徴とするネットワーク装置。
【請求項１２】
ページングメッセージを搬送するための複数のページング帯域幅の配置情報を前記端末装置に送信するために用いられ、前記複数のページング帯域幅の配置情報が、前記端末装置が前記少なくとも１つのページング帯域幅の周波数領域位置を決定するために用いられ、前記複数のページング帯域幅の各々が前記最小帯域幅能力の帯域幅の以下である第２の送信ユニットをさらに含み、
前記複数のページング帯域幅の配置情報が、前記複数のページング帯域幅の各々の周波数領域位置情報および／または前記複数のページング帯域幅の各々の周波数領域オフセット情報を含む、
ことを特徴とする請求項１１に記載のネットワーク装置。
【請求項１３】
前記複数のページング帯域幅の配置情報が、残りの最小システム情報ＲＭＳＩに搬送される、
ことを特徴とする請求項１２に記載のネットワーク装置。
【請求項１４】
前記複数のページング帯域幅のうちの少なくとも２つのページング帯域幅の周波数領域位置が、完全に重ならない、
ことを特徴とする請求項１２又は１３に記載のネットワーク装置。
【請求項１５】
前記複数のページング帯域幅が、ページングフレームおよび／またはページング機会を決定するためのページングパラメータの複数組に１対１に対応する複数のページング帯域幅集合に属し、
同一のページング帯域幅集合のページング帯域幅が、同一の帯域幅部分ＢＷＰに属し、
前記ページングパラメータが、残りの最小システム情報ＲＭＳＩまたは他のシステム情報ＯＳＩに搬送される、
ことを特徴とする請求項１２〜１４のいずれか一項に記載のネットワーク装置。
【手続補正３】
【補正対象書類名】図面
【補正対象項目名】全図
【補正方法】変更
【補正の内容】
【図１】
2021503190.tif 000010
【図２】
2021503190.tif 000011
【図３】
2021503190.tif 000012
【図４】
2021503190.tif 000013
【図５】
2021503190.tif 000014
【図６】
2021503190.tif 000015
【図７】
2021503190.tif 000016
【国際調査報告】
2021503190.tif 000017
2021503190.tif 000018
2021503190.tif 000019
2021503190.tif 000020
2021503190.tif 000021
2021503190.tif 000022
2021503190.tif 000023